(57)【要約】【課題】生理的測定システムが患者の身体に対して何処に位置決めされているかに基づくかつ遠隔場所での医療専門家の命令に基づく生理的測定の制御を可能にする。【解決手段】検査身体場所から生理的測定値を取得する携帯測定システムと、検査身体場所に向けられ、可視光を取り込む外部カメラと、トリガ指示に応答してカメラによって取り込まれた検査身体場所に隣接する携帯測定システムの一部を含む位置決め画像を生理的測定値に関連付ける同期モジュールと、生理的測定値と位置決め画像を取得し、かつ生理的測定値に基づく生理的測定記録と、位置決め画像に基づくものであり、検査身体場所に隣接する携帯測定システムの少なくとも一部を含む方位画像と、方位画像と生理的測定記録とを関連付ける関連付けデータとを遠隔システムに送信する通信モジュールとを含む患者の生理的パラメータを測定するためのシステム。【選択図】図１
2020072958.tif 000002
【特許請求の範囲】
【請求項１】
患者の生理的パラメータを測定するためのシステムであって、
前記患者の検査身体場所から生理的測定値を取得するように作動可能な携帯測定システムと、
前記検査身体場所に向けられて可視光を取り込むように作動可能な外部カメラと、
トリガ指示を受信し、かつ該トリガ指示に応答して、前記外部カメラによって取り込まれて前記検査身体場所に隣接する前記携帯測定システムの少なくとも一部を含む位置決め画像を前記生理的測定値に関連付けるように作動可能な同期モジュールと、
前記生理的測定値と前記位置決め画像を取得し、かつ
前記生理的測定値に基づく生理的測定記録、
前記位置決め画像に基づくものであり、前記検査身体場所に隣接する前記携帯測定システムの少なくとも一部を含む方位画像、及び
前記方位画像と前記生理的測定記録とを関連付ける関連付けデータ、
を遠隔システムに送信するように作動可能な通信モジュールと、
を含むことを特徴とするシステム。
【請求項２】
前記同期モジュールは、前記携帯測定システムによる前記生理的測定値の前記測定をトリガするように、かつ前記位置決め画像の作成を制御するように作動可能であることを特徴とする請求項１に記載のシステム。
【請求項３】
前記生理的測定値は、測定場所の情報をその医学的解釈が必要とする場所感受性生理的測定値であることを特徴とする請求項１に記載のシステム。
【請求項４】
前記携帯測定システムは、前記患者の身体の体内音を含む前記生理的測定値を取得するように作動可能なマイクロフォンを含むことを特徴とする請求項１に記載のシステム。
【請求項５】
前記携帯測定システムは、前記患者の身体から反射された超音波を含む前記生理的測定値を取得するように作動可能である超音波変換器を含むことを特徴とする請求項１に記載のシステム。
【請求項６】
前記携帯測定システムは、少なくとも１つの血流パラメータを示す前記生理的測定値を取得するように作動可能な血流センサを含むことを特徴とする請求項１に記載のシステム。
【請求項７】
前記同期モジュールは、前記携帯測定システムに統合されることを特徴とする請求項１に記載のシステム。
【請求項８】
少なくとも１つの予め決められた対話判断基準を満たすユーザインタフェースとの人間対話の識別時に対話指示を前記同期モジュールに送信するように作動可能であるユーザインタフェースを更に含み、
前記同期モジュールは、前記対話指示に応答して前記携帯測定システムによる前記生理的測定値の前記測定をトリガするように作動可能である、
ことを特徴とする請求項１に記載のシステム。
【請求項９】
測定のための身体場所を示す位置決め命令をユーザに表示するように作動可能なモニタを更に含むことを特徴とする請求項１に記載のシステム。
【請求項１０】
前記携帯測定システムは、前記患者の複数の検査身体場所から生理的測定値を取得するように作動可能であり、
前記同期モジュールは、前記複数の生理的測定値からの各生理的測定値を前記外部カメラによって取り込まれた対応する位置決め画像に関連付けるように作動可能であり、
前記通信モジュールは、前記複数の測定値からの各生理的測定値に対応する生理的測定記録と、前記位置決め画像に基づく複数の方位画像と、各方位画像と該対応する生理的測定記録とを関連付ける関連付けデータとを前記遠隔システムに送信するように作動可能である、
ことを特徴とする請求項１に記載のシステム。
【請求項１１】
前記同期モジュールは、連続的な生理学的検査中に複数のトリガ指示を受信し、かつ該複数のトリガ指示の各々に応答して位置決め画像を該連続的な生理学的検査中に測定された生理的測定値に関連付けるように作動可能であることを特徴とする請求項１に記載のシステム。
【請求項１２】
前記位置決め画像は、複数の画像を含む前記外部カメラによって取り込まれた画像シーケンスから選択されることを特徴とする請求項１に記載のシステム。
【請求項１３】
（ａ）前記携帯測定システムによって収集されて経時的な該携帯測定システムの移動を示すナビゲーションデータを取得し、（ｂ）該ナビゲーションデータと第１の時点で前記外部カメラによって取り込まれた画像データとを処理して該携帯測定システムが該外部カメラから隠れている第２の時点での該携帯測定の査定場所を決定し、かつ（ｃ）該外部カメラによって取り込まれた画像に基づいて該査定場所がその上に示された推定方位画像を発生させるように作動可能な画像処理モジュールを更に含み、
前記同期モジュールは、前記第２の時点で取得された生理的測定値を前記推定方位画像に関連付けるように作動可能であり、
前記通信モジュールは、（ａ）前記第２の時点で取得された前記生理的測定値に基づく第２の生理的測定記録と、（ｂ）前記推定方位画像と、（ｃ）該推定方位画像と該第２の生理的測定記録とを関連付ける関連付けデータとを前記遠隔システムに送信するように作動可能である、
ことを特徴とする請求項１に記載のシステム。
【請求項１４】
前記位置決め画像を処理して前記方位画像を提供するように作動可能である画像処理モジュールを含み、
前記処理は、前記方位画像から識別可能な視覚情報を除去するために該方位画像を匿名化する段階を含む、
ことを特徴とする請求項１に記載のシステム。
【請求項１５】
前記外部カメラによって取得された少なくとも１つの画像を処理して予め決められた場所に対する該少なくとも１つの画像内の前記携帯測定システムの場所が近位度判断基準を満たすか否かを決定するように作動可能である画像処理モジュールと、該場所が該近接度判断基準を満たす条件時に、該携帯測定システムによって測定された前記生理的測定値の収集を選択的にトリガするように作動可能なプロセッサとを含むことを特徴とする請求項１に記載のシステム。
【請求項１６】
前記位置決め画像を処理して該位置決め画像内の前記携帯位置決めシステムの場所を識別するように作動可能な画像処理モジュールを更に含み、
前記通信モジュールは、前記位置決め画像内の前記携帯位置決めシステムの前記場所を示す情報を前記遠隔システムに送信するように作動可能である、
ことを特徴とする請求項１に記載のシステム。
【請求項１７】
患者の身体に対する異なる位置で取得された複数の生理的測定値の複数の生理的測定記録、
各々が前記患者の前記身体に対する携帯測定システムの場所を示す複数の可視光方位画像、及び
各方位画像を前記複数の生理的測定記録からの対応する生理的測定記録に関連付ける関連付けデータ、
を受信するように作動可能な通信モジュールと、
前記関連付けデータを処理し、かつ該処理の結果に基づいて（ａ）選択生理的測定記録及び（ｂ）少なくとも１つの符合する方位画像を生理的測定データベースから取り出すように作動可能なプロセッサと、
前記少なくとも１つの符合する方位画像を前記選択生理的測定記録の情報を提供すると共に表示するように構成されたユーザインタフェース出力と、
を含むことを特徴とする生理学的モニタシステム。
【請求項１８】
前記生理的測定値は、測定場所の情報をその医学的解釈が必要とする場所感受性生理的測定値であることを特徴とする請求項１７に記載の生理学的モニタシステム。
【請求項１９】
前記ユーザインタフェース出力は、異なる生理的測定記録に関連付けられた複数の方位画像を表示するように構成され、
生理学的モニタシステムが、前記複数の方位画像からの方位画像を示す選択指示を受信するためのユーザインタフェース入力を更に含み、
前記プロセッサは、前記選択指示に基づいて前記選択生理的測定記録を取り出すように作動可能である、
ことを特徴とする請求項１７に記載の生理学的モニタシステム。
【請求項２０】
前記ユーザインタフェース出力は、複数の生理的測定記録の識別子を表示するように構成され、
生理学的モニタシステムが、前記複数の生理的測定記録からの生理的測定記録を示す選択指示を受信するためのユーザインタフェース入力を更に含み、
前記プロセッサは、前記選択指示に基づいて前記選択生理的測定記録を取り出すように作動可能である、
ことを特徴とする請求項１７に記載の生理学的モニタシステム。
【請求項２１】
前記ユーザインタフェース出力は、前記複数の方位画像を含むビデオを表示するように作動可能であり、
前記プロセッサは、有形メモリから前記生理的測定記録を取り出し、かつ前記関連付けデータに基づいて前記異なる生理的測定記録の情報の提供を前記ビデオの前記表示に同期させるように作動可能である、
ことを特徴とする請求項１７に記載の生理学的モニタシステム。
【請求項２２】
前記通信モジュールは、前記生理的測定値を取得する携帯測定システムと該携帯測定システムの外部にあって前記患者の前記身体の画像を取得するカメラとを含む遠隔システムから前記複数の生理的測定記録、前記複数の可視光方位画像、及び前記関連付けデータを受信し、
生理学的モニタシステムが、（ａ）前記カメラによって取得された前記患者の前記身体の基準画像を表示し、かつ（ｂ）該基準画像上の複数のユーザ選式択場所を示すユーザ入力を取得するように構成されたユーザインタフェースを更に含み、
前記通信モジュールは、前記ユーザ選式択場所を示す情報を前記遠隔システムに送信するように作動可能であり、
前記複数の生理的測定値は、前記ユーザ選式択場所に基づいて前記遠隔システムによって決定された異なる位置で取得される、
ことを特徴とする請求項１７に記載の生理学的モニタシステム。
【請求項２３】
患者の生理的パラメータを測定するためのシステムであって、
前記患者の生理的測定値を取得するように作動可能な携帯測定システムと、
前記患者の身体の可視光画像を取り込むように作動可能な外部カメラと、
前記外部カメラによって取得された少なくとも１つの画像を処理して少なくとも１つの画像の該画像内の前記携帯測定システムの場所を決定し、かつ
前記場所が予め決められた検査場所に対する近接度判断基準を満たす条件時に前記携帯測定システムの前記生理的測定の変更を開始する、
ように作動可能なプロセッサと、
を含むことを特徴とするシステム。
【請求項２４】
前記プロセッサは、前記場所が前記近接度判断基準を満たす前記条件時に前記携帯測定システムに前記生理的測定を開始させるように作動可能であることを特徴とする請求項２３に記載のシステム。
【請求項２５】
前記プロセッサは、前記場所が前記近接度判断基準を満たす前記条件時に前記生理的測定のデータの収集の開始を引き起こすように作動可能であることを特徴とする請求項２３に記載のシステム。
【請求項２６】
前記プロセッサは、前記場所が前記近接度判断基準を満たす前記条件時に前記携帯測定システムに生理的測定パラメータを変更させるように作動可能であることを特徴とする請求項２３に記載のシステム。
【請求項２７】
前記プロセッサは、前記場所が前記近接度判断基準を満たす前記条件時にユーザインタフェースに前記携帯測定システムの該場所を修正する命令をユーザに対して提示させるように作動可能であることを特徴とする請求項２３に記載のシステム。
【請求項２８】
患者の生理的パラメータの測定を制御するためのシステムであって、
患者の身体の少なくとも一部を含む基準画像に対して定められた少なくとも１つの検査場所を受信するように作動可能な通信インタフェースと、
前記少なくとも１つの検査場所を処理し、かつ該処理の結果に基づいて携帯測定システムのための位置決めパラメータを決定するように作動可能なプロセッサと、
前記位置決めパラメータに基づいて、携帯測定センサによる前記患者の生理的測定の実行を制御するように作動可能なコントローラと、
を含み、
前記基準画像は、前記携帯測定システムに対して外部である外部カメラによって取得された可視光画像である、
ことを特徴とするシステム。
【請求項２９】
前記少なくとも１つの検査場所は、前記基準画像上に個人によってマーク付けされることを特徴とする請求項２８に記載のシステム。
【請求項３０】
前記コントローラは、前記位置決めパラメータにかつ前記基準画像に基づいて前記生理的測定の前記実行を制御するように作動可能であることを特徴とする請求項２８に記載のシステム。
【請求項３１】
前記プロセッサは、少なくとも１人の個人によって前記基準画像上にマーク付けされた複数の検査場所に基づいて異なる位置決めパラメータを決定するように作動可能であり、
前記コントローラは、前記異なる位置決めパラメータに基づいて前記携帯測定システムによる前記患者の複数の生理的測定の実行を制御し、かつ該異なる位置決めパラメータに基づいて該複数の生理的測定間の休止を制御するように作動可能である、
ことを特徴とする請求項２８に記載のシステム。
【請求項３２】
前記コントローラは、前記位置決めパラメータに基づいて前記生理的測定の開始を制御するように作動可能であることを特徴とする請求項２８に記載のシステム。
【請求項３３】
前記コントローラは、前記位置決めパラメータに基づいて前記生理的測定のデータの収集の開始を制御するように作動可能であることを特徴とする請求項２８に記載のシステム。
【請求項３４】
前記コントローラは、前記携帯測定システムの生理的測定パラメータの変更を制御するように作動可能であることを特徴とする請求項２８に記載のシステム。
【請求項３５】
前記コントローラは、前記携帯測定システムの前記場所を修正するユーザインタフェース命令のユーザへの提示を制御するように作動可能であることを特徴とする請求項２８に記載のシステム。
【請求項３６】
前記プロセッサは、前記位置決めパラメータの前記決定の後に前記外部カメラによって取得されて前記患者の前記身体と前記携帯測定システムとを示す少なくとも１つの可視光画像を処理して該少なくとも１つの画像内の該携帯測定システムの場所を決定するように更に作動可能であり、
前記コントローラは、前記場所が予め決められた検査場所に対する近接度判断基準を満たす条件時に、前記携帯測定システムによる前記患者の生理的測定の新しいフェーズの開始を制御するように作動可能である、
ことを特徴とする請求項２８に記載のシステム。
【請求項３７】
患者の生理的パラメータを測定する方法であって、
携帯測定システムによって前記患者の検査身体場所から取得された生理的測定値に対して該検査身体場所に向けられた外部可視光カメラによって取り込まれて該検査身体場所に隣接する該携帯測定システムを含む画像である位置決め画像を関連付ける段階と、
前記生理的測定値に基づく生理的測定記録と、前記位置決め画像に基づくものであり、かつ前記検査身体場所に隣接する前記携帯測定システムを含む方位画像と、該方位画像と該生理的測定記録とを関連付ける関連付けデータとを遠隔システムに送信する段階と、
を含むことを特徴とする方法。
【請求項３８】
前記生理的測定値は、測定場所の情報をその医学的解釈が必要とする場所感受性生理的測定値であることを特徴とする請求項３７に記載の方法。
【請求項３９】
前記携帯測定システムによって前記検査身体場所から前記生理的測定値を取得する段階を更に含むことを特徴とする請求項３７に記載の方法。
【請求項４０】
前記生理的測定値は、前記患者の少なくとも一方の肺の音を含むことを特徴とする請求項３７に記載の方法。
【請求項４１】
前記生理的測定値は、前記患者の身体から反射された超音波を含むことを特徴とする請求項３７に記載の方法。
【請求項４２】
前記生理的測定値は、少なくとも１つの血流パラメータを示すことを特徴とする請求項３７に記載の方法。
【請求項４３】
少なくとも１つの予め決められた対話判断基準を満たすユーザ入力に応答して前記携帯測定システムによる前記生理的測定値の前記測定を選択的にトリガする段階を更に含むことを特徴とする請求項３７に記載の方法。
【請求項４４】
ユーザインタフェースを通じて測定のための身体場所を示す位置決め命令を提供する段階を更に含むことを特徴とする請求項３７に記載の方法。
【請求項４５】
前記患者の複数の検査身体場所から生理的測定値を取得する段階と、
前記複数の生理的測定値からの各生理的測定値に前記外部カメラによって取り込まれた対応する位置決め画像を関連付ける段階と、
（ａ）前記複数の測定値からの各生理的測定値に対応する生理的測定記録と、（ｂ）前記位置決め画像に基づく複数の方位画像と、（ｃ）各方位画像と該対応する生理的測定記録とを関連付ける関連付けデータとを前記遠隔システムに送信する段階と、
を含むことを特徴とする請求項３７に記載の方法。
【請求項４６】
前記外部カメラによって取り込まれた複数の画像を含む画像シーケンスから前記位置決め画像を選択する段階を含むことを特徴とする請求項３７に記載の方法。
【請求項４７】
前記携帯測定システムによって収集されて経時的な該携帯測定システムの移動を示すナビゲーションデータを取得する段階と、
前記ナビゲーションデータと第１の時点で前記外部カメラによって取り込まれた画像データとを処理して該携帯測定システムが該外部カメラから隠れている第２の時点での該携帯測定の査定場所を決定する段階と、
前記査定場所がその上に示された前記外部カメラによって取り込まれた画像を前記遠隔システムに送信する段階と、
を含むことを特徴とする請求項３７に記載の方法。
【請求項４８】
前記送信する段階は、前記位置決め画像を処理して前記方位画像を提供する段階によって先行され、
前記処理する段階は、前記方位画像から識別可能な視覚情報を除去するために該方位画像を匿名化する段階を含む、
ことを特徴とする請求項３７に記載の方法。
【請求項４９】
前記外部カメラによって取得された少なくとも１つの画像を処理して、予め決められた場所に対する該少なくとも１つの画像内の前記携帯測定システムの場所が近位度判断基準を満たすか否かを決定する段階と、
前記場所が近接度判断基準を満たす条件時に、前記携帯測定システムによって測定された前記生理的測定値の収集を選択的にトリガする段階と、
を含むことを特徴とする請求項３７に記載の方法。
【請求項５０】
前記位置決め画像を処理して該位置決め画像内の前記携帯位置決めシステムの場所を識別する段階を更に含み、
前記送信する段階は、前記位置決め画像内の前記携帯位置決めシステムの前記場所を示す情報を前記遠隔システムに送信する段階を更に含む、
ことを特徴とする請求項３７に記載の方法。
【請求項５１】
生理学的モニタのためのコンピュータ実装方法であって、
患者の身体に対する異なる位置で取得された複数の生理的測定値の複数の生理的測定記録、
各々が前記患者の前記身体に対する携帯測定システムの場所を示す複数の可視光方位画像、及び
各方位画像を前記複数の生理的測定記録からの対応する生理的測定記録に関連付ける関連付けデータ、
を受信する段階と、
前記複数の生理的測定記録、前記複数の方位画像、及び前記関連付けデータを有形メモリ上に格納する段階と、
前記関連付けデータに基づいて、選択生理的測定記録及び少なくとも１つの符合する方位画像を前記有形メモリから取り出す段階と、
前記少なくとも１つの符合する方位画像を前記選択生理的測定記録の情報を提供すると共に表示する段階と、
を含むことを特徴とする方法。
【請求項５２】
異なる生理的測定記録に関連付けられた複数の方位画像を表示する段階と、該複数の方位画像からの少なくとも１つもののユーザによる選択を示す選択指示を受信する段階と、該選択指示に基づいて該選択生理的測定記録を取り出す段階とを含むことを特徴とする請求項５１に記載の方法。
【請求項５３】
複数の生理的測定記録の識別子を表示する段階と、該複数の生理的測定記録からの生理的測定記録のユーザによる選択を示す選択指示を受信する段階と、該選択指示に基づいて該選択生理的測定記録を取り出す段階とを含むことを特徴とする請求項５１に記載の方法。
【請求項５４】
前記複数の方位画像を含むビデオを表示する段階と、前記有形メモリから前記生理的測定記録を取り出す段階と、前記関連付けデータに基づいて該ビデオを表示する該段階に前記異なる生理的測定記録の情報を提供する段階を同期させる段階とを含むことを特徴とする請求項５１に記載の方法。
【請求項５５】
前記受信する段階は、前記生理的測定値を取得する携帯測定システムと、該携帯測定システムに対して外部であり、前記患者の前記身体の画像を取得するカメラとを含む遠隔システムから前記複数の生理的測定記録、前記複数の可視光方位画像、及び前記関連付けデータを受信する段階を含み、
前記受信する段階は、
前記カメラによって取得された前記患者の前記身体の基準画像をユーザインタフェース上に表示する段階と、
前記基準画像上の複数のユーザ選式択場所を示すユーザ入力を取得する段階と、
前記ユーザ選式択場所を示す情報を前記遠隔システムに送信する段階と、
によって先行され、
前記複数の生理的測定値は、前記ユーザ選式択場所に基づいて前記遠隔システムによって決定された異なる位置で取得される、
ことを特徴とする請求項５１に記載の方法。
【請求項５６】
生理学的モニタのためのコンピュータ実装方法であって、
患者の身体と携帯測定システムとを示す少なくとも１つの可視光画像を処理して該少なくとも１つの画像内の該携帯測定システムの場所を決定する段階と、
前記場所が、予め決められた検査場所に対する近接度判断基準を満たす条件時に、前記携帯測定システムによる前記患者の生理的測定の新しいフェーズを開始する段階と、
を含むことを特徴とする方法。
【請求項５７】
前記開始する段階は、前記生理的測定を始める段階を含むことを特徴とする請求項５６に記載の方法。
【請求項５８】
前記開始する段階は、前記生理的測定のデータの収集を開始する段階を含むことを特徴とする請求項５６に記載の方法。
【請求項５９】
前記開始する段階は、前記携帯測定システムの生理的測定パラメータを変更する段階を含むことを特徴とする請求項５６に記載の方法。
【請求項６０】
前記開始する段階は、前記携帯測定システムの前記場所を修正するユーザインタフェース命令のユーザへの提示を開始する段階を含むことを特徴とする請求項５６に記載の方法。
【請求項６１】
生理学的モニタのためのコンピュータ実装方法であって、
患者の身体の少なくとも一部を含む基準画像に対して定められた少なくとも１つの検査場所を取得する段階と、
前記少なくとも１つの検査場所に基づいて携帯測定システムのための位置決めパラメータを決定する段階と、
前記位置決めパラメータに基づいて前記携帯測定センサによる前記患者の生理的測定の実行を制御する段階と、
を含み、
前記基準画像は、前記携帯測定システムに対して外部の外部カメラによって取得された可視光画像である、
ことを特徴とする方法。
【請求項６２】
前記少なくとも１つの検査場所は、前記基準画像上に個人によってマーク付けされることを特徴とする請求項６１に記載の方法。
【請求項６３】
前記制御する段階は、更に前記基準画像に基づいていることを特徴とする請求項６１に記載の方法。
【請求項６４】
前記取得する段階は、少なくとも１人の個人によってマーク付けされた複数の検査場所を取得する段階を含み、
前記決定する段階は、前記異なる検査場所に基づいて異なる位置決めパラメータを決定する段階を含み、
前記制御する段階は、前記携帯測定システムによる前記患者の複数の生理的測定の実行を制御する段階を含み、
方法が、前記異なる位置決めパラメータに基づいて前記複数の生理的測定間の休止を制御する段階を更に含む、
ことを特徴とする請求項６１に記載の方法。
【請求項６５】
前記制御する段階は、前記生理的測定の開始を制御する段階を含むことを特徴とする請求項６１に記載の方法。
【請求項６６】
前記制御する段階は、前記生理的測定のデータの収集を開始する段階を含むことを特徴とする請求項６１に記載の方法。
【請求項６７】
前記制御する段階は、前記携帯測定システムの生理的測定パラメータを変更する段階を含むことを特徴とする請求項６１に記載の方法。
【請求項６８】
前記制御する段階は、前記携帯測定システムの前記場所を修正するユーザインタフェース命令のユーザへの提示を制御する段階を含むことを特徴とする請求項６１に記載の方法。
【請求項６９】
前記制御する段階は、前記決定する段階の後に前記外部カメラによって取得されて前記患者の前記身体と前記携帯測定システムとを示す少なくとも１つの可視光画像を処理し、該少なくとも１つの画像内の該携帯測定システムの場所を決定する段階を含み、
前記制御する段階は、前記場所が、予め決められた検査場所に対する近接度判断基準を満たす条件時に、前記携帯測定システムによる前記患者の生理的測定の新しいフェーズを開始する段階を含む、
ことを特徴とする請求項６１に記載の方法。
【請求項７０】
生理学的モニタのための非一時的コンピュータ可読媒体であって、
プロセッサ上で実行された時に、
患者の身体に対する異なる位置で取得された複数の生理的測定値の複数の生理的測定記録、
各々が前記患者の前記身体に対する携帯測定システムの場所を示す複数の可視光方位画像、及び
各方位画像を前記複数の生理的測定記録からの対応する生理的測定記録に関連付ける関連付けデータ、
を取得する段階と、
前記複数の生理的測定記録、前記複数の方位画像、及び前記関連付けデータを有形メモリ上に格納する段階と、
前記関連付けデータに基づいて、前記有形メモリから選択生理的測定記録及び少なくとも１つの符合する方位画像を取り出す段階と、
前記少なくとも１つの符合する方位画像を前記選択生理的測定記録の情報を提供すると共に表示する段階と、
を行うそこに格納された命令、
を含むことを特徴とする媒体。
【発明の詳細な説明】
【技術分野】
【０００１】
本発明は、生理学的モニタのための及び生理的測定のためのシステム、方法、及びコンピュータプログラム製品に関する。
【背景技術】
【０００２】
様々な携帯測定システムが当業技術で公知であり、そのうちのいくつかの携帯測定システムは、生理的測定の結果を離れた場所に送信することができる。例えば、３Ｍによる「Ｅｌｅｃｔｒｏｎｉｃ  Ｓｔｅｔｈｏｓｃｏｐｅ  Ｌｉｔｔｍａｎｎ  Ｍｏｄｅｌ  ３２００」は、デジタルサンプリングした音をＢｌｕｅｔｏｏｔｈ（登録商標）通信を通じて別のシステムに送信することができる。しかし、そのような従来技術システムは、測定時に生理的測定システムが患者の身体に対して何処にあったかに関する表示を遠隔場所のシステムに（及び従って潜在的に医療専門家又は専用診断システムに）提供しない。更に、そのような従来技術システムは、生理的測定システムが患者の身体に対して何処に位置決め（position）されているかに基づくかつ遠隔場所での医療専門家の命令に基づく生理的測定の制御を可能にしない。
【発明の概要】
【発明が解決しようとする課題】
【０００３】
従来の常套的な既案の手法の更に別の限界及び欠点は、そのような手法を本出願の残りに図面を参照して示す本出願の主題と比較することによって当業者に明らかになるであろう。
【課題を解決するための手段】
【０００４】
本発明の態様により、患者の生理的パラメータを測定するためのシステムを提供し、システムは、ａ．患者の検査身体場所から生理的測定値を取得するように作動可能な携帯測定システム、ｂ．検査身体場所に向けられて可視光を取り込むように作動可能な外部カメラ、ｃ．トリガ指示を受信し、トリガ指示に応答して、外部カメラによって取り込まれて検査身体場所に隣接する携帯測定システムの少なくとも一部を含む位置決め画像を生理的測定値に関連付けるように作動可能な同期モジュール、及びｄ．生理的測定値と位置決め画像を取得し、かつ遠隔システムに（ｉ）生理的測定値に基づく生理的測定記録と、（ｉｉ）位置決め画像に基づくものであり、検査身体場所に隣接する携帯測定システムの少なくとも一部を含む方位（orientation）画像と、（ｉｉｉ）方位画像と生理的測定記録とを関連付ける関連付けデータとを送信するように作動可能な通信モジュールを含む。
【０００５】
本発明の態様により、生理学的モニタシステムを提供し、システムは、ａ．（ｉ）患者の身体に対する異なる位置で取得された複数の生理的測定値の複数の生理的測定記録と、（ｉｉ）各々が患者の身体に対する携帯測定システムの場所を示す複数の可視光方位画像と、（ｉｉｉ）各方位画像を複数の生理的測定記録からの対応する生理的測定記録に関連付ける関連付けデータとを受信するように作動可能な通信モジュール、ｂ．複数の生理的測定記録、複数の方位画像、及び関連付けデータを格納するように作動可能な有形メモリ、ｃ．関連付けデータを処理し、かつ処理の結果に基づいて選択生理的測定記録と少なくとも１つの符合する方位画像とを有形メモリから取り出すように構成されてそのように作動可能なプロセッサ、及びｄ．少なくとも１つの符合する方位画像を選択生理的測定記録の情報を提供すると共に表示するように構成されたユーザインタフェース出力を含む。
【０００６】
本発明の態様により、生理学的モニタシステムを提供し、システムは、ａ．患者の生理的測定値を取得するように作動可能な携帯測定システム、ｂ．検査身体場所に向けられて可視光を取り込むように作動可能な外部カメラ、ｃ．（ａ）外部カメラによって取得された少なくとも１つの画像を処理して少なくとも１つの画像の画像内の携帯測定システムの場所を決定し、かつ（ｂ）この場所が予め決められた検査場所に対する近接度判断基準を満たす条件時に携帯測定システムの生理的測定の変更を開始するように作動可能なプロセッサを含む。
【０００７】
本発明の態様により、患者の生理的パラメータの測定を制御するためのシステムを提供し、システムは、ａ．患者の身体の少なくとも一部を含む基準画像に対して定められた少なくとも１つの検査場所を受信するように作動可能な通信インタフェース、ｂ．少なくとも１つの検査場所を処理し、かつ処理の結果に基づいて携帯測定システムのための位置決めパラメータを決定するように作動可能なプロセッサ、及びｃ．位置決めパラメータに基づいて携帯測定センサによる患者の生理的測定の実行を制御するように作動可能なコントローラであって、基準画像が、携帯測定システムに対して外部である外部カメラによって取得される可視光画像である上記コントローラを含む。
【０００８】
本発明の態様により、患者の生理的パラメータを測定する方法を提供し、本方法は、ａ．検査身体場所に向けられた外部可視光カメラによって取り込まれて検査身体場所に隣接する携帯測定システムを含む画像である位置決め画像を携帯測定システムによって患者の検査身体場所から取得された生理的測定値に関連付ける段階、及びｂ．遠隔システムに（ｉ）生理的測定値に基づく生理的測定記録と、（ｉｉ）位置決め画像に基づいており、かつ検査身体場所に隣接する携帯測定システムを含む方位画像と、（ｉｉｉ）方位画像と生理的測定記録とを関連付ける関連付けデータとを送信する段階を含む。
【０００９】
本発明の態様により、生理学的モニタのためのコンピュータ実装方法を提供し、本方法は、ａ．（ｉ）患者の身体に対する異なる位置で取得された複数の生理的測定値の複数の生理的測定記録と、（ｉｉ）各々が患者の身体に対する携帯測定システムの場所を示す複数の可視光方位画像と、（ｉｉｉ）各方位画像を複数の生理的測定記録からの対応する生理的測定記録に関連付ける関連付けデータとを受信する段階、ｂ．複数の生理的測定記録、複数の方位画像、及び関連付けデータを有形メモリ上に格納する段階、ｃ．関連付けデータに基づいて、有形メモリから選択生理的測定記録と少なくとも１つの符合する方位画像とを取り出す段階、及びｄ．少なくとも１つの符合する方位画像を選択生理的測定記録の情報を提供すると共に表示する段階を含む。
【００１０】
本発明の態様により、生理学的モニタのためのコンピュータ実装方法を提供し、本方法は、ａ．患者の身体と携帯測定システムとを示す少なくとも１つの可視光画像を処理して少なくとも１つの画像内の携帯測定システムの場所を決定する段階、及びｂ．この場所が予め決められた検査場所に対する近接度判断基準を満たす条件時に携帯測定システムによる患者の生理的測定の新しいフェーズを開始する段階を含む。
【００１１】
本発明の態様により、生理学的モニタのためのコンピュータ実装方法を提供し、本方法は、ａ．患者の身体の少なくとも一部を含む基準画像に対して定められた少なくとも１つの検査場所を取得する段階、ｂ．少なくとも１つの検査場所に基づいて携帯測定システムのための位置決めパラメータを決定する段階、及びｃ．位置決めパラメータに基づいて携帯測定センサによる患者の生理的測定の実行を制御する段階であって、基準画像が、携帯測定システムに対して外部の外部カメラによって取得される可視光画像である上記制御する段階を含む。
【００１２】
本発明の態様により、プロセッサ上で実行された時に、ａ．（ｉ）患者の身体に対する異なる位置で取得された複数の生理的測定値の複数の生理的測定記録と、（ｉｉ）各々が患者の身体に対する携帯測定システムの場所を示す複数の可視光方位画像と、（ｉｉｉ）各方位画像を複数の生理的測定記録からの対応する生理的測定記録に関連付ける関連付けデータとを取得する段階、ｂ．複数の生理的測定記録、複数の方位画像、及び関連付けデータを有形メモリ上に格納する段階、ｃ．関連付けデータに基づいて、有形メモリから選択生理的測定記録と少なくとも１つの符合する方位画像とを取り出す段階、及びｄ．少なくとも１つの符合する方位画像を選択生理的測定記録の情報を提供すると共に表示する段階を行う命令が格納された生理学的モニタのための非一時的コンピュータ可読媒体を提供する。
【００１３】
本発明を理解し、かつそれを実際に実施することができる方法を見るために、ここで添付図面を参照して単に非限定的な例として実施形態を以下に説明する。
【図面の簡単な説明】
【００１４】
【図１】本発明の開示の主題による患者の生理的パラメータを測定するためのシステムの例を示す機能ブロック図である。
【図２】本発明の開示の主題による患者の生理的パラメータを測定するためのシステムの例を示す機能ブロック図である。
【図３】本発明の開示の主題による患者の生理的パラメータを測定するためのシステムの例を示す機能ブロック図である。
【図４】本発明の開示の主題による患者の生理的パラメータを測定するためのシステムの例を示す機能ブロック図である。
【図５】本発明の開示の主題の例による生理学的モニタシステムを示す図である。
【図６】本発明の開示の主題による方位画像と生理的測定記録の間の関連付け情報を格納するためのデータベースの例を示す図である。
【図７】本発明の開示の主題による自己案内検診を行うためのシステムのアーキテクチャの例を概略的に例示するブロック図である。
【図８】本発明の開示の主題による患者の生理的パラメータを測定する方法の例を示す流れ図である。
【図９】本発明の開示の主題による患者の生理的パラメータを測定する方法の例を示す流れ図である。
【図１０】本発明の開示の主題による患者の生理的パラメータを測定する方法の例を示す流れ図である。
【図１１】本発明の開示の主題による生理学的モニタのためのコンピュータ実装方法の例を示す流れ図である。
【図１２】本発明の開示の主題による生理学的モニタのための方法の例を示す流れ図である。
【図１３Ａ】本発明の開示の主題による図８から図１２の方法における匿名化の例を示す流れ図である。
【図１３Ｂ】本発明の開示の主題による図８から図１２の方法における匿名化の例を示す流れ図である。
【図１４Ａ】本発明の開示の主題による方位画像における匿名化オプションの少数の例を提供する図である。
【図１４Ｂ】本発明の開示の主題による方位画像における匿名化オプションの少数の例を提供する図である。
【図１５】本発明の開示の主題による携帯測定システム及び外部カメラを用いた生理学的モニタのための方法の例を示す流れ図である。
【図１６】本発明の開示の主題による携帯測定システムの位置をそれが外部カメラから隠れている間に決定するためのコンピュータ実装方法の例を示す流れ図である。
【図１７Ａ】本発明の開示の主題による患者の生理的パラメータを測定するためのシステムの例を示す機能ブロック図である。
【図１７Ｂ】本発明の開示の主題による患者の生理的パラメータを測定するためのシステムの例を示す機能ブロック図である。
【図１８】本発明の開示の主題による生理学的モニタのためのコンピュータ実装方法の例を示す流れ図である。
【図１９Ａ】本発明の開示の主題による患者の生理的パラメータの測定を制御するためのシステムの例を示す機能ブロック図である。
【図１９Ｂ】本発明の開示の主題による患者の生理的パラメータの測定を制御するためのシステムの例を示す機能ブロック図である。
【図２０】本発明の開示の主題による生理学的モニタのためのコンピュータ実装方法の例を示す流れ図である。
【００１５】
これらの図に示す要素は、例示の簡略化及び明瞭化に向けて必ずしも縮尺通りに描かれていないことは認められるであろう。例えば、要素のうちの一部の寸法は、明瞭化に向けて他の要素に対して誇張される場合がある。更に、適切と考えられる場合に、参照番号は、対応する要素又は類似の要素を示すために図の間で繰り返される場合がある。
【発明を実施するための形態】
【００１６】
以下の詳細説明では、本発明の完全な理解をもたらすために多くの具体的な詳細を示している。しかし、これらの具体的な詳細なしで本発明を実施することができることは当業者によって理解されるであろう。他の事例では、本発明を不明瞭することのないように公知の方法、手順、及び構成要素は詳細には記載していない。
【００１７】
列挙する図面及び説明では、同一の参照番号は、異なる実施形態又は構成に共通である構成要素を示すものである。
【００１８】
別途明記しない限り、以下の議論から明らかなように、本明細書を通じて「処理する」、「演算する」、「決定する」、「発生させる」、又は「選択する」などのような用語を利用する議論は、例えば、電子的な量のような物理量として表される及び／又は物理的物体を表すデータを他のデータに操作及び／又は変換するコンピュータのアクション及び／又は処理を含むことは認められる。用語「コンピュータ」、「プロセッサ」、及び「コントローラ」は、非限定的な例としてパーソナルコンピュータ、サーバ、コンピュータシステム、通信デバイス、プロセッサ（例えば、デジタル信号プロセッサ（ＤＳＰ）、マイクロコントローラ、フィールドプログラマブルゲートアレイ（ＦＰＧＡ）、特定用途向け集積回路（ＡＳＩＣ）など）、あらゆる他の電子コンピュータデバイス、及び／又はこれらのあらゆる組合せを含むデータ処理機能を有するあらゆる種類の電子デバイスを網羅するように広義に解釈しなければならない。
【００１９】
本明細書の教示による作動は、望ましい目的に対して特別に構成されたコンピュータ、又はコンピュータ可読ストレージ媒体に格納されたコンピュータプログラムによって望ましい目的に対して特別に構成された汎用コンピュータによって行うことができる。
【００２０】
本明細書に使用する場合に、語句「例えば」、「のような」、「例えるなら」、及びその変形は、本発明の開示の主題の非限定的な実施形態を説明するものである。「１つの場合」、「一部の場合」、「他の場合」、又はその変形への本明細書での参照は、実施形態に関して説明した特定の特徴、構造、又は特性が本発明の開示の主題の少なくとも１つの実施形態に含まれることを意味する。すなわち、語句「１つの場合」、「一部の場合」、「他の場合」、又はその変形の出現は、必ずしも同じ実施形態を参照するわけではない。
【００２１】
明瞭化の目的で別々の実施形態の関連で説明する本発明の開示の主題のある一定の特徴は、単一実施形態における組合せで与えることもできることは認められる。それとは逆に、簡潔化の目的で単一実施形態の関連で説明する本発明の開示の主題の様々な特徴は、別々に又はあらゆる適切な部分組合せで与えることもできる。
【００２２】
本発明の開示の主題の実施形態では、図に示す１又は２以上の段階は、異なる順序で実行することができ、及び／又は段階の１又は２以上の群は、同時に実行することができ、その逆も同様である。図は、本発明の開示の主題の実施形態によるシステムアーキテクチャの全体概略図を示している。図内の各モジュールは、本明細書に定めて説明する機能を行うソフトウエア、ハードウエア、及び／又はファームウエアのあらゆる組合せで構成することができる。図内のモジュールは、１つの場所に集中させるか又は１よりも多い場所にわたって分散させることができる。
【００２３】
方法への本明細書でのあらゆる参照は、その方法を実行することができるシステムに必要な変更を加えた上で適用すべきであり、かつコンピュータによって実行された状態で方法の実行をもたらす命令を格納する非一時的コンピュータ可読媒体に必要な変更を加えた上で適用されるべきである。
【００２４】
システムへの本明細書でのあらゆる参照は、そのシステムによって実行することができる方法に必要な変更を加えた上で適用されるべきであり、かつそのシステムによって実行することができる命令を格納する非一時的コンピュータ可読媒体に必要な変更を加えた上で適用されるべきである。
【００２５】
非一時的コンピュータ可読媒体への本明細書でのあらゆる参照は、その非一時的コンピュータ可読媒体に格納された命令を実行することができるシステムに必要な変更を加えた上で適用されるべきであり、かつその非一時的コンピュータ可読媒体に格納された命令を読み取るコンピュータによって実行することができる方法に必要な変更を加えた上で適用されるべきである。
【００２６】
図１は、本発明の開示の主題による患者の生理的パラメータを測定するためのシステム２００の例を示す機能ブロック図である。必ずしもそうとは限らないが、システム２００は、患者自身、患者の家族、又はシステムによって提供される１又は２以上のそれぞれの生理的測定を行うような訓練を特に受けていない別のオペレータのような非職業的オペレータ（又は半職業的オペレータ）によって作動されるように設計することができる。
【００２７】
当業技術で十分に受け入れられている「生理的パラメータ」という用語は、患者のあらゆるバイタルサイン及び患者の生理学的特性を表すあらゆる他のパラメータを含むように非限定的に解釈しなければならない。患者は、医療用途又はあらゆる他の用途（例えば、身体訓練の有効性を推定する等々）のいずれを目的としたものであるかに関わらず、その生理的パラメータが測定されるあらゆる個人（又は動物）とすることができる。
【００２８】
例えば、システム２００は、体温、血圧、血中飽和度、心電図（ＥＣＧ）測定値、音声信号（例えば、心臓手術又は肺の）、超音波信号（例えば、心臓、腸などの）、音響測定値、体組織電気抵抗、体組織の硬度等という患者の生理的パラメータのうちの１又は２以上のあらゆる組合せを測定するために使用することができる。
【００２９】
システム２００は、患者の検査身体場所から生理的測定値を取得するように作動可能な携帯測定システム２１０を含む。生理的測定は、生理的パラメータの直接測定とすることができるが、生理的パラメータを与えるように処理することができる生理学的信号（すなわち、患者の体内で発する信号又は患者の体内で発する信号に基づく信号）の測定とすることができる。例えば、携帯測定システム２１０は、検査身体場所からの電流の測定値を取得することができ、後に局所体脂肪百分率のような生理的パラメータを与えるためにこれらの電流を処理することができる（システム２００のプロセッサ又は外部システムにより）。
【００３０】
検査身体場所は、携帯測定システム２１０によって生理的測定値が取得される患者の身体上（すなわち、皮膚上、又は他に例えば目、指爪のような１又は２以上の体外特徴部上）の表在場所である。検査身体場所は、測定されている臓器の一部とすることができ（例えば、皮膚が測定されている場合）、又は測定臓器の近くの表在場所とすることができる（例えば、肺音検査などのように深部臓器が測定されている場合）。「表在」という用語は、解剖学では十分に受け入れられており、皮膚のような生物の外面の近くにある場所を説明するためのものである。浅在の反対は、「深部」又は「内臓」である。
【００３１】
携帯測定システム２１０は、生理的測定値を取得する時に患者の身体の外側に位置付けられることに注意されたい。それにも関わらず、一部の場合に、携帯測定システム２１０の一部の部分が患者の身体に進入する場合がある（例えば、針が皮膚及び／又は血管に進入すること、センサが耳又は口のような身体開口部に進入することなど）。そのような場合であっても、携帯測定システム２１０の大部分は測定時に身体の外側に位置付けられる。
【００３２】
携帯測定システム２１０は、１又は２以上の生理的測定センサ２１１を含み、更に、例えば、通信モジュール２１２、電源２１３、プロセッサ２１４、及びケーシング２１５等々のモジュールのうちの１又は２以上のような追加の構成要素を含むことができることに注意されたい。１よりも多い携帯測定システム２１０を含むシステム２００を使用することができ、この場合に、以下の説明は、これらの携帯測定システム２１０のうちの１つ（又は１よりも多いもの）に関連する。携帯測定システム２１０は、上記で議論した追加の構成要素を含むことができるが、議論の簡略化の目的で携帯測定システム２１０を「センサ２１０」とも呼ぶ。
【００３３】
生理的測定値は、場所感受性生理的測定値、例えば、測定場所の情報をその医学的解釈が必要とする生理的測定値である場合があることに注意されたい。すなわち、生理的測定の結果を使用するためには（例えば、患者又はその症状又は病態の診断、検診、又は評価に向けて）、生理的測定が行われた場所に基づいて結果を解釈しなければならない。
【００３４】
多くのタイプの生理的測定において、生理的測定値が取得される身体場所は、測定結果を解釈する方法を大きく変化させる場合がある。例えば、上腕で測定した場合に正常であると見なされる血圧は、下腕で測定した場合は警戒を要するものと見なされる場合がある。別の例では、右肺の聴診音サンプルと左肺の聴診音サンプルは、患者に対して異なる治療を必要とする場合がある（特に、温度測定のような他の場所感受性測定の結果と組み合わされる場合）。更に別の例では、一部の腹場所での腹部の硬度を測定することにより、虫垂の炎症（又は他の胃腸病態）を示すことができ、この硬度測定は、腹部上の他の場所では無意味である場合がある。
【００３５】
生理的測定に関する場所の位置関係を与える及び／又は生理的測定が正しい場所で実行されることを確実にする方位画像を提供することにより、生理的測定の有効性に有意に影響を及ぼすことができることに注意されたい。例えば、間違った場所でＥＣＧを測定することにより（又は他のタイプの生理的測定）、正しく位置決めされた（システム２００によって容易になるような）センサが検出することができるある一定の心臓病態を見落すという結果をもたらす場合がある。例えば、間違った場所でＥＣＧを測定することにより（又は他のタイプの生理的測定）、不正警報がもたらされる恐れがある（その可能性は、システム２００によって容易になるセンサの適正な位置決めが行われた場合は有意に低減することができる）。システム２００は、症状の適正で正確な診断（例えば、患者がいかなる肺において呼吸病態に苦しんでいるかを決定すること）も容易にする。当業者は、従来技術システムに優るシステム２００の他の利点を容易に理解することができるであろう。
【００３６】
システム２００は、生理的測定の結果と共に場所情報を提供し、それによって測定値が取得された検査身体場所を示す追加情報を測定結果を解釈するあらゆる者に提供するために、カメラ２２０と同期モジュール２３０と通信モジュール２４０とを更に含む。カメラ２２０（「外部カメラ２２０」とも呼ぶ）は、センサ２１０から物理的に分離されるという意味でセンサ２１０の外部にある。外部カメラ２２０は、好ましくは、センサ２１０とは無関係に移動可能である。カメラ２２０は、可視光を取り込み、取り込んだ光に基づいて画像を発生させるように作動可能である。カメラ２２０はまた、電磁スペクトルのうちで可視スペクトルに近い他の部分（例えば、近ＩＲ放射線のような赤外線放射線）に感受性である場合がある。カメラ２２０は、可視スペクトル全域に感受性であるもの（例えば、ＤＳＬＲカメラ、スマート電話カメラ、ウェブカムカメラのような市販の既製カメラ）又は可視スペクトルの一部に対してのみ感受性である場合がある。
【００３７】
外部カメラ２２０は、システム２００が作動する時間の少なくとも一部において検査身体場所に向けられる。カメラとして、カメラ２２０は、画像を静止画像又はビデオのいずれかかとして又はこれらの両方として取得するように作動可能である。特にカメラ２２０は、検査身体場所に向けられた場合に（上述のように）、センサ２１０が検査身体場所に隣接した時のセンサ２１０を含む１又は２以上の画像（すなわち、センサ２１０の全て又は一部を示す）を取得するように作動可能である。
【００３８】
カメラ２２０によって取り込まれた画像のうちの１つ（又は２以上）は、検査身体場所に隣接するセンサ２１０を含む位置決め画像として使用される。位置決め画像は患者の身体の一部も含み、それによって検査身体場所に対するセンサ２１０の場所を認識することが可能になる。必ずしもそうとは限らないが、位置決め画像内に含められる身体の一部は検査身体場所を含むことができる。例えば、検査身体場所自体は、センサ２１０によって覆い隠される場合があるが（特にセンサ２１０が患者の身体に触れる場合）、身体に対するセンサ２１０の位置決めは、位置決め画像内に示されている身体の隣接部分から明らかであると考えられる。
【００３９】
本発明の開示全体を通して、ある一定の画像は、携帯測定システム、患者の身体の一部、又は他の画像内容を含むものとして説明する。本発明の開示の関連では、画像に含む関連での「を含む」という用語は、それぞれの画像が関連の物体を示す（すなわち、画像が、物体からカメラに到着し、カメラによって集光される光の視覚表現を含む）ことを意味する。画像は、その中に物体の一部しか示されていない場合であっても当該物体（例えば、センサ、身体の一部）を含むことができることに注意されたい。物体のうちで画像内に含まれる他の部分は、例えば、他の物体によって覆い隠される可能性がある、画像の領界から外れている場合があり、又は単純にカメラの外方を向いている場合がある。
【００４０】
任意的に、位置決め画像は、センサ２１０が生理的測定値を取得するための生理学的検査を行っている間に取得することができる。しかし、必ずしもそうとは限らないが、カメラ２２０は、生理的測定が行われる前又は後に位置決め画像を取得することができる（例えば、センサ２１０が測定中と測定前又は測定後とに定位置に保持される場合）。カメラ２２０が１よりも多い画像を取得する場合に、後に位置決め画像として使用される画像の選択をカメラ２２０及び／又はシステム２００の他の構成要素（例えば、同期モジュール２３０）が行うことができることに注意されたい。
【００４１】
同期モジュール２３０は、トリガ指示を受信し、カメラ２２０によって取り込まれた位置決め画像を携帯測定システム２１０によって取得された生理的測定値にこのトリガ指示に応答して関連付けるように作動可能である。任意的に、同期モジュール２３０を携帯測定システム２１０と統合することができる（この場合に、この関連での統合は、単一ケーシング内に入れられてプロセッサ、電源、及び／又は通信モジュールのような１又は２以上の構成要素を共有することを意味する）。任意的に、同期モジュール２３０は、カメラ２２０と統合することができる。任意的に、同期モジュール２３０は、携帯測定システム２１０及びカメラ２２０から分離することができる。
【００４２】
トリガ指示は、ａ．ユーザインタフェース２８０から受信したユーザによるトリガの指示、ｂ．別のシステム（例えば、生理学的検査を管理する遠隔コンピュータ）から受信した指示、ｃ．トリガ事象が発生したことを示すシステム２００（又は別のシステム）のセンサからの指示とすることができる。例えば、センサは、携帯測定システム２１０が患者の皮膚に一瞬接触したことを示すことができ、又はそれは、少なくとも３５℃の温度を感知する。
【００４３】
生理的測定値への位置決め画像の関連付けは、方位画像と生理的測定値とを明確に識別するデジタル関連付けデータを作成する段階を含む。例えば、そのようなデータは、生理的測定記録内と方位画像内とに同じ識別番号（又は英数字文字列）を埋め込む段階を含むことができる。
【００４４】
関連付けは、位置決め画像を識別する生理的測定値関連付けデータと共に（又はその中に）格納する段階を含むことができる。関連付けは、生理的測定値（又は生理的測定値の一部）を識別する位置決め画像関連付けデータと共に（又はその中に）格納する段階を含むことができる。関連付けは、カメラ２２０によって取得された画像と独立にかつセンサ２１０によって取得された生理的測定データと独立に格納されるデータ構造を発生させる（又は更新する）段階を含むことができる。
【００４５】
システム２００は、生理的測定値及び位置決め画像を取得するように作動可能な通信モジュール２４０を更に含む。通信モジュール２４０は、カメラ２２０から、同期モジュール２３０から、又は携帯測定システム２１０から（例えば、同期モジュール２３０がセンサ２１０に統合される場合）位置決め画像を受信することができる。通信モジュール２４０は、携帯測定システム２１０から、同期モジュール２３０から、又はカメラ２２０から（例えば、同期モジュール２３０がカメラ２２０に統合される場合）生理的測定値を受信することができる。
【００４６】
通信モジュール２４０は、遠隔システム（例えば、システム３００、システム４００）に、ａ．生理的測定値に基づく生理的測定記録、ｂ．位置決め画像に基づく方位画像、及びｃ．方位画像と生理的測定記録とを関連付ける関連付けデータを送信するように更に作動可能である。
【００４７】
生理的測定記録は、携帯測定システム２１０によって検査身体場所から取得された全ての生理的測定値又はその一部のみを含む又は生理的測定値に基づいて処理されたデータ（又はその一部）を含むことができる。本発明の開示の主題によるシステム２００の例を示す機能ブロック図である図２に明らかにしているように、システム２００は、携帯測定システム２１０によって検査身体場所から取得された生理的測定値の一部又は全てを受信してそれを処理するように作動可能なプロセッサ２５０を含むことができる。処理段階は、例えば（しかし、限定されることなく）、生理的測定値の一部を選択し（かつ他の部分を廃棄し）、サンプルの品質を改善し、メタデータを追加し、別の生理的測定値と組み合わせ、別の生理的測定値（又は時間及び地理的場所のような他のデータ）に基づいて修正を行い、かつ他のことを行う様々な処理アルゴリズムを含むことができる。
【００４８】
例えば、生理的測定値は、患者の肺からの音サンプルを含むことができる。生理的測定値を送る前に、プロセッサ２５０は、どの部分が、センサ２１０が適正に位置付けられていない時に記録されたものであるか（従って、医療専門家に対して価値がないものであるか）を検出し、これらの部分を音サンプルから除去するために音サンプルを解析することができる。後に、プロセッサ２５０は、システム２００が患者に咳をするように命令した時間を示すメタデータを追加するために残りの音サンプルを処理することができる。
【００４９】
方位画像は、カメラによって取得された位置決め画像全体又はこの画像の一部とすることができるが、位置決め画像の処理に基づいて発生された（例えば、プロセッサ２５０により）別の画像を含むことができる。位置決め画像と同様に、通信モジュール２４０によって外部システムに送信される方位画像（又は複数の画像）は、検査身体場所に隣接するセンサ２１０を示し、かつ患者の身体の一部を含み、それによって検査身体場所に対するセンサ２１０の場所を認識することが可能になる。方位画像は、検査身体場所に隣接する携帯測定システムの少なくとも一部を含む。プロセッサ２５０は、データを追加又は除去する、メタデータを追加する、かつ他のことを行うように位置決め画像を処理することができる。
【００５０】
システム２００（特にセンサ２１０）は、様々なタイプの生理的測定に向けて使用することができる。例えば、携帯測定システム２１０は、患者の体内音（例えば、患者の一方又は両方の肺音、心音、子宮音、及び腸音等々）を含む生理的測定値を取得するように作動可能なマイクロフォンを含むことができる。肺の例を引き合いに出すと、患者の身体に対してマイクロフォンが何処に位置付けられているかを知ることにより、肺内の身体症状の場所を識別することを可能にすることができる。
【００５１】
システム２００は、任意的に超音波を検出する（超音波撮像）ために使用することができることに注意されたい。例えば、携帯測定システム２１０は、患者の身体から反射された超音波を含む生理的測定値を取得するように作動可能な超音波変換器（例えば、圧電変換器）を含むことができる。そのような場合に、プロセッサ２５０は、検査場所の視覚表現を与えるために、超音波変換器によって収集されたデータを処理する段階に関わる計算を実行するように作動可能とすることができる。任意的に、プロセッサ２５０は、超音波を放出するために変換器プローブに送られる電流を制御するように構成することができる。
【００５２】
任意的に、携帯測定システム２１０は、少なくとも１つの血流パラメータを示す生理的測定値を取得するように作動可能な血流センサを含むことができる。そのようなパラメータは、例えば、収縮期血圧、拡張期血圧、及び酸素飽和度等々を含むことができる。
【００５３】
システム２００によって収集されて処理された情報が使用されることになる方法に基づいて、システム２００がデータを送信する宛先の遠隔システム３００（例えば、システム４００）として異なるタイプのシステムが機能することができる。例えば、システム２００によって収集されて処理された情報は、熟練医療専門家が精査することができ、ソフトウエアシステムが自動的に処理することができ、後の使用に向けてデータベースに格納することができ、かつ他のことを行うことができる。例えば、システム２００がデータを送信する宛先の遠隔システム（例えば、システム４００）は、サーバ、パーソナルコンピュータ、スマート電話、テレビジョンセット、及び不揮発性ストレージシステム等々とすることができる。必ずしもそうとは限らないが、システム２００がデータを送信する宛先の遠隔システム（例えば、システム４００）は、多くの異なる患者の情報をシステム２００から受信するように作動可能である場合がある。
【００５４】
構成要素２１０、２２０、２３０、２４０、及び２５０（センサ２１０とカメラ２２０の両方を含まない）のうちの１つから４つまでのあらゆる組合せを他の機能を有するコンピュータ内蔵システム（例えば、スマート電話、パーソナルコンピュータ又はラップトップコンピュータ、及びデジタルカメラ等々など）内に組み込むことができることに注意されたい。上述のように、カメラ２２０はセンサ２１０の外部にあり、従って、これら２つのユニットが単一ケーシング内に組み込まれることはない。
【００５５】
例えば、専用携帯測定システム２１０を使用する場合に、スマート電話（又は２９０と表示しているタブレットコンピュータのような別の携帯コンピュータ）のカメラをカメラ２２０として使用することができ、スマート電話のプロセッサを同期モジュール２３０（及び時にプロセッサ２５０）として使用することができ、スマート電話の通信モジュール（例えば、セルラー通信モジュール、Ｗｉ−Ｆｉ通信モジュール、又はＢｌｕｅｔｏｏｔｈ（登録商標）通信モジュール）を通信モジュール２４０として使用することができる。そのような構成に関する例は、本発明の開示の主題による患者の生理的パラメータを測定するためのシステム２００の例を示す機能ブロック図である図３に示している。類似の実施は、ラップトップコンピュータ、パーソナルコンピュータ、又はタブレットコンピュータのカメラ、プロセッサ、及び通信モジュールを使用することができるであろう。
【００５６】
外部カメラ２２０は、ユーザ（通常は患者以外であるが必ずしもそうとは限らない）が着用することができることに注意されたい。例えば、眼鏡（Ｇｏｏｇｌｅ−Ｇｌａｓｓ（登録商標）など）上又は別のタイプの光学ヘッドマウントディスプレイ（ＯＨＭＤ、例えば、拡張現実眼鏡）上に位置付けられたカメラを使用することができる。同様に、外部カメラは、例えば、腕時計、衣類のようなあらゆる他の着用可能デバイス上に設置することができる。
【００５７】
外部カメラ２２０は、「測距画像」とも呼ぶ特定の点（外部カメラの場所）からシーン内の点までの距離を示す２Ｄ画像を発生させるように作動可能な測距カメラとすることができる。位置決め画像及び／又は方位画像の両方は、追加の視覚データを有するか又は持たない測距画像とすることができることに注意されたい。すなわち、必ずしもそうとは限らないが、測距画像は測距値に加えて各ピクセルに対する色値を含むことができる。測距カメラ以外の他のタイプの３Ｄセンサをこれらのカメラがセンサ２１０から分離される限り外部カメラ２２０として使用することができることに注意されたい。
【００５８】
任意的に、システム２００は、様々なタイプの視覚情報、例えば、カメラ２２０によって取り込まれた画像及び／又はビデオ、そのような画像及び／又はビデオの処理されたバージョン、位置決め画像、方位画像、システム２００のユーザ及び／又はオペレータがシステム２００を作動される方法に関する命令、及び画像と生理的測定値及び／又は生理的測定記録の間の関連付けを利用するグラフィックユーザインタフェース（ＧＵＩ）等々であるタイプの視覚情報のうちのいずれか１つ又は２以上を表示するように作動可能なディスプレイ２６０（モニタ２６０とも呼ぶ）を含むことができる。
【００５９】
別の例では、センサ２１０は、ユニット２３０及び２４０（及び時に同じく２５０）として機能する構成要素を有するスマート電話に接続することができ、カメラ２２０として外部デジタルカメラ（例えば、専用カメラ又はラップトップコンピュータ又は別のスマート電話のもの）を使用することができる。類似の実施は、ラップトップコンピュータ、パーソナルコンピュータ、又はタブレットコンピュータのプロセッサ及び通信モジュールを使用することができる。
【００６０】
更に別の例では、システム２００は、様々な生理的測定を行う（例えば、体温を測定し、身体の一部の画像を撮影し、患者の身体の音を録音する）ように作動可能な専用携帯生理学的検査システムとすることができ、一方、外部セルラー電話（又は別のデジタルカメラ）がカメラ２２０として使用される。
【００６１】
カメラ２２０は、画像が携帯測定システム２１０の少なくとも一部を示すことを検証することなく画像を撮影することができることに注意されたい。任意的に、プロセッサ２５０は、センサ２１０がカメラ２２０の視野内に含まれているか（又はカメラ２２０によって取り込まれた画像内の視野内に含まれていたか）否かを決定するように作動可能である。決定結果に基づいて、プロセッサ２５０は、位置決め画像内にカメラ２２０が取得された（又は取得することができる）場合に上述した手順の継続を命令することができる。決定結果に基づいて、プロセッサ２５０は、要件を満たす位置決め画像の取得を可能にするためにはシステム２００及び／又は患者の状態を変更しなければならないことをシステム２００のユーザ（又は別のシステムのユーザ又は別のシステム）に命令することができる。
【００６２】
上述のことは、例えば、患者も外部カメラ２２０を作動させる（例えば、患者がカメラの画面を見ることを可能にしない位置又は角度で）場合に、又はシステム２００がカメラの視野を示すディスプレイを含んでいない場合に有用である場合がある。
【００６３】
プロセッサ２５０は、センサ２１０がカメラ２２０の視野内に含まれているか否かをカメラによって取得された画像を処理することにより、又はあらゆる他の方法により（例えば、携帯測定システム２１０内に含まれるビーコン又はマーカを位置付けることにより）決定するように作動可能とすることができることに注意されたい。
【００６４】
任意的に、同期モジュール２３０（又はシステム２００の別の構成要素）は、方位画像、生理的測定記録、及び関連付けデータのうちの１又は２以上にメタデータを追加することができる。そのようなメタデータは、例えば、位置決めデータ（例えば、ＧＰＳ測位に基づく）、タイムスタンプ、ローカルネットワークのＩＰアドレスなどを含むことができる。可能な用途の中でも取りわけ、そのようなメタデータは、不正行為を防止するために使用することができる。例えば、メタデータは、生理的測定が、海外ではなく患者が暮らす街で実行されたことを決定するために使用することができる。
【００６５】
図４は、本発明の開示の主題による患者の生理的パラメータを測定するためのシステム２００の例を示す機能ブロック図である。
【００６６】
図４に明らかにしているように、任意的に、センサ２１０、同期モジュール２３０、及び通信モジュール２４０は、全てイスラエル国ネタニヤのＴｙｔｏｃａｒｅ  ＬＴＤによって開発されて生産されているシステムのような複数のセンサ２１０を含む多目的生理学的検査システム（２９２と表示し、例示目的で縮尺を無視して示す）からの一部とすることができる。システム２００の同期モジュールを他の処理タスクの機能も有するプロセッサ２５０（システム２９２のＣＰＵなど）内に組み込むことができることに注意されたい。必ずしもそうとは限らないが、システム２９２は、外部カメラによって取り込まれた画像又はビデオを表示するためのディスプレイ２６０を含むことができることに注意されたい。
【００６７】
システム２９２は、様々なセンサ（皮膚、口、喉、目、及び耳をモニタするためのカメラ、様々な場所での体温をモニタするための温度センサ、及び心臓及び肺の聴診（すなわち、体内音の聴取、又は他に解析）のためのマイクロフォン等々など）を含むことができるが、外部カメラによって取り込まれる位置決め画像に対する生理的測定値の同期は、システム２９２によって可能になる生理的測定のうちの一部にしか必要とされない場合があり、必ずしもシステム２９２のセンサ２１０の全てを必要とするわけではない。例えば、患者の耳の視覚検査（レンズ２７２から進行する光を受光する内部撮像センサ２７０による）は、センサ２７０によって収集された視覚データの誤解釈をもたらす可能性が通常はそれ程高くない。それと比較して、聴診及び温度測定値の解析は、外部カメラ２２０（図示のように独立型スマート電話２９０内に含まれるとすることができる外部カメラ又はあらゆる他の外部カメラ）によって供給される外部位置決めデータから利益を得ることができる。
【００６８】
任意的に、同期モジュール２３０は携帯測定システム２１０に統合される。
【００６９】
図１に戻ると、検査身体場所からの生理的測定値の取得中、直前、又は直後に携帯測定システム２１０が検査身体場所の隣に位置付けられるときにカメラ２２０が位置決め画像を取得しなければならないという点で、カメラ２２０の作動と携帯測定システム２１０の作動とを協働させることができることに注意されたい。しかし、これは、必ずしもそうであるとは限らない。例えば、一部の実施では、同期モジュールは、センサ２１０の作動とカメラ２２０の作動とを実時間で実際に同期させることなく、生理的測定値の時間タグに基づいて外部カメラ２２０によって撮影されたビデオからフレームを単純に選択することができる。
【００７０】
本発明の開示の範囲では、「直前」又は「直後」という用語は、特定の時間範囲ではなく、センサ２１０が検査身体場所から別の場所に移動されない間の時間に関するものである。そのような移動の鋭敏性は生理学的検査のタイプに依存し、それに対して体温は正確な場所の影響を比較的受け難い場合があり（例えば、ある一定の実施では１０ｃｍの変位を満足できる）、心臓の聴診はかなり小さい変位（例えば、１ｃｍ）しか許容することができない。
【００７１】
この協働は、別のユニットによるシステム２００の１つのユニットのトリガによって実施することができる。例えば、センサ２１０は、それ自体が生理的測定を実行している時の位置決め画像を取得するようにカメラ２２０をトリガする（そうでなければカメラ２２０に命令する）ことができる。これに代えて、カメラ２２０は、センサ２１０による生理的測定の実行をトリガすることができる（例えば、カメラ２２０を操作している人が、センサ２１０が望ましい身体場所に十分に近いと決定した時）。同期モジュール２３０は、センサ２１０及び／又はカメラ２２０の作動をトリガすることができる。任意的に、生理的測定の及び／又は位置決め画像の取り込みのトリガは、である場合がある。
【００７２】
任意的に、同期モジュール２３０は、携帯測定システム２１０による生理的測定値の測定をトリガし、位置決め画像の生成を制御するように作動可能とすることができる。同期モジュール２３０は、画像を撮影するようにカメラ２２０に命令し、カメラ２２０の複数の画像撮影ショットから画像を選択するようにカメラ２２０に命令すること、又はカメラ２２０によって供給された複数の画像から画像を選択することなどによる様々な方法で位置決め画像の生成を制御することができる。
【００７３】
任意的に、位置決め画像は、外部カメラ２２０によって取り込まれた画像シーケンス（ビデオ又は別のタイプの複数の静止画像のシーケンス）から選択される。画像シーケンスからの位置決め画像の選択段階は、カメラ２２０により、同期モジュール２３０により、通信モジュール２１２により、又はこれらの構成要素２２０、２３０、及び２４０のうちの２又は３以上の協働によって実行することができる。外部カメラ２２０が画像シーケンスを取り込む場合に、カメラ２２０を生理的測定よりも短い期間にわたって画像シーケンス（例えば、ビデオ）を取得するように構成することができることに注意されたい。例えば、生理的測定が完了するのに１分を要する場合に、カメラ２２０によって取り込まれるビデオを５秒の長さとすることができる。
【００７４】
システム２００は、システムのユーザから入力を受信するために、及び時にシステムのユーザに対して情報を提供するためのユーザインタフェース２８０（ＵＩ）を含むことができる。ユーザインタフェース２８０は、物理的ユーザインタフェース（例えば、図４に示すように物理的なボタン、スイッチなどを含むもの）、ソフトウエアユーザインタフェース（例えば、アプリケーションプログラミングインタフェース、ＡＰＩ）、及びタッチ画面ユーザインタフェース（例えば、ディスプレイ２６０を使用するもの）等々とすることができる。
【００７５】
任意的に、システム２００は、少なくとも１つの予め決められた対話判断基準を満たす人間の対話（ＵＩ２８０との）の識別時に、同期モジュール２３０に対話指示を送信するように作動可能なユーザインタフェース２８０を含むことができる。対話判断基準は、ＵＩとの対話によって受信される情報のタイプに関する可能性があるが、時刻、センサ２１０の状態、システム２００の別の構成要素の状態、システム２００の構成要素と患者の身体の間の関係（例えば、温度測定は、システム２００の金属部分が患者の身体に接触することを要件とすることができる）のような他のタイプの判断基準に関する可能性もある。
【００７６】
任意的に、同期モジュール２３０は、対話指示に応答して携帯測定システム２１０による生理的測定値の測定をトリガするように作動可能とすることができる。例えば、ユーザ（患者又は別の個人）は、生理的測定を始めることを要求するボタンを押下することができる。必ずしもそうとは限らないが、位置決め画像の取得及び／又は選択をトリガするために同じ対話指示を処理することができる。
【００７７】
当然ながら、ユーザインタフェースは、個人（又はソフトウエア）によるシステム２００の他の機能の制御を可能にするために使用することができる。
【００７８】
任意的に、システム２００は、測定のための身体場所を示す位置決め命令をユーザに対して表示するように作動可能なモニタ（例えば、ディスプレイ２６０）を含むことができる。これらの命令はテキストによるもの視覚的なものとすることができ、外部カメラ２２０により、又はシステム２００の別のカメラ（例えば、２７０）によって取得された画像に関連する場合がある。そのような命令は、スピーカ又はユーザインタフェースからの別の形態を用いて提供することができることに注意されたい。
【００７９】
システム２００は、様々な身体場所で生理的測定を行うことによって使用することができ、次いで、複数の位置決め画像（及び／又は方位画像）を各生理的測定においてどの検査身体場所が検査されたかを決定するために使用することができることに注意されたい。
【００８０】
任意的に、携帯測定システム２１０は、患者の複数の検査身体場所から生理的測定値を取得するように作動可能である場合があり、同期モジュール２３０は、複数の生理的測定値からの各生理的測定値に外部カメラ２２０によって取り込まれた対応する位置決め画像を関連付けるように作動可能である場合があり、通信モジュール２４０は、ａ．複数の測定値からの各生理的測定値に対応する生理的測定記録、ｂ．位置決め画像に基づく複数の方位画像、及びｃ．各方位画像と対応する生理的測定記録とを関連付ける関連付けデータを遠隔システム３００に送信するように作動可能とすることができる。
【００８１】
一部の状況では、１回の連続的な生理学的検査を様々な身体場所で実行することができることに注意されたい。そのような連続的な生理学的検査は、生理学的検査を通して少なくとも１つのタイプの生理的パラメータを測定する段階を含み、連続的測定及び／又は個別的測定を含むことができる。携帯測定システム２１０は、生理学的検査を通して必ずしも身体に接触しない場合があることに注意されたい。連続的な生理学的検査は、１又は２以上の生理的パラメータを個別場所で又は経路に沿って測定する段階を含むことができる。
【００８２】
上記を参照すると、連続的な生理学的検査は、例えば、様々な身体場所で血圧を測定する段階、連続的な経路に沿って腹部の硬度レベルを測定する段階、及び様々な場所で又は経路に沿って発汗を測定する段階等々を含むことができる。
【００８３】
同期モジュール２３０は、そのような連続的な生理学的検査（１又は２以上の生理的測定を含む）中に複数のトリガ指示を受信し、その各々に応答して位置決め画像を連続的な生理学的検査中に測定された生理的測定値に関連付けるように作動可能とすることができる。例えば、携帯測定システム２１０によって肺の様々な部分から連続的な音サンプルが収集される場合に、位置決め画像を連続的な音ファイルの様々な部分に関連付けるために（例えば、様々な画像に関連付けられた対応するマーカをファイル内に含めることにより）同期モジュール２３０をトリガすることができる。プロセッサ２５０及び／又は通信モジュール２４０は、位置決め画像の各々を処理することができる。関連付けデータは、録音だけではなくあらゆるタイプの長期測定でのマーカとすることができることに注意されたい。
【００８４】
任意的に、システム２００は、位置決め画像内で携帯位置決めシステムの場所を識別するように位置決め画像を処理するように作動可能な画像処理モジュール（例えば、プロセッサ２４０の一部）を含むことができる。そのような場合に、通信モジュール２４０は、位置決め画像（方位画像の一部として又はそれとは別個としてのいずれかである）内の携帯位置決めシステムの場所を示す情報を遠隔システムに送信するように作動可能である。センサのそのような識別をもたらし、それを容易にすることができる方法のうちの一部を下記で方法８００の段階８５０に関して議論する。
【００８５】
図５は、本発明の開示の主題の例による生理学的モニタシステム４００を示している。システム４００は、システム２００がデータを送信する宛先である遠隔システム３００として機能することができ、システム２００とシステム４００の間の中継システムとして機能する外部システム３００から情報を受信することができることに注意されたい。
【００８６】
システム４００は、少なくとも通信モジュール４１０と、プロセッサ４３０と、ユーザインタフェース出力４４０とを含むが、例えば、システム２００に関して議論した追加の構成要素を含むことができる。システム４００は、有形メモリ４２０を含むことができる。システム４００は、身体モニタに向けて特化されたシステム（特にこれを行うために設計され、他の一般的なコンピュータ機能を持たない）とすることができるが、汎用コンピュータ（例えば、パーソナルコンピュータ、ラップトップコンピュータ、スマート電話など）上又は別の用途を有するコンピュータ（例えば、通院のスケジュールなどを含む多くの患者の患者情報を管理するのに使用されるシステム）上に実施することができる。
【００８７】
必ずしもそうとは限らないが、システム４００は、熟練者（例えば、医療専門家、医師、看護師、理学療法士など）が作動させることができる。
【００８８】
通信モジュール４１０は、ａ．患者の身体に対する異なる位置で取得された複数の生理的測定値の複数の生理的測定記録、ｂ．各々が患者の身体に対する携帯測定システムの場所を示す複数の可視光方位画像（すなわち、撮像センサによって集光された可視光に基づく画像）、及びｃ．各方位画像を複数の生理的測定記録からの対応する生理的測定記録に関連付ける関連付けデータを受信するように作動可能である。
【００８９】
システム２００の説明において先に用いてシステム４００の説明に使用する用語（例えば、「生理的測定記録」）の全てが同じ意味を有することに注意されたい。その一方、システム４００は、システム２００から通信モジュール４１０が受信する情報をシステム２００以外から取得することができる。
【００９０】
例示目的で、そのような情報はセンサから受信される場合があり、生理的測定を実行するセンサとは関連のないビデオカメラからのビデオデータを受信してビデオを処理することにより、例えば、センサが作動状態にあることをＬＥＤライトが示す時を決定することにより、いつ測定値が取得されたかが検出される。そのような例を参照すると、関連付けデータは（更に時に通信モジュール４１０が受信した他のデータも）、システム４００のプロセッサが生成することができることに注意されたい。しかし、任意的に、システム４００は、上述の情報の全てをシステム２００から受信することができる。
【００９１】
更に、システム４００は、例えば、血圧、血中飽和度、心電図（ＥＣＧ）測定値、音声信号（例えば、心臓手術又は肺の）、超音波信号（例えば、心臓、腸の）、体組織電気抵抗、及び体組織の硬度等々（しかし、これらに限定されない）のシステム２００に関して議論したタイプの生理的測定値のうちのいずれかの受信（及び時に処理）に向けて使用することができる。
【００９２】
システム４００は、複数の生理的測定記録、複数の方位画像、及び関連付けデータを格納するように作動可能な有形メモリ４２０を含むことができる。「有形メモリ」という用語は、当業技術で広く使用されており、ハードディスクドライブ、光コンパクトディスク、ランダムアクセスメモリ（ＲＡＭ）、フラッシュドライブ、不揮発性メモリ、又は当業技術で公知のあらゆる他のタイプの有形メモリのようなメモリユニットを含むように非限定的に解釈しなければならない。有形メモリ４２０は、プロセッサ４３０に物理的に接続することができるが、別個のユニットに（例えば、サーバ上、外部ハードディスク上、クラウドコンピュータサービス上など）又は様々な場所にある様々なそのようなユニット上（例えば、クラウドストレージが使用される場合）にも位置付けることができることに注意されたい。
【００９３】
プロセッサ４３０は、関連付けデータを処理し、処理結果に基づいてａ．選択生理的測定記録、及びｂ．少なくとも１つの符合する方位画像を生理的測定データベースから取り出すように作動可能である。
【００９４】
生理的測定データベースは、上記で議論したように１又は２以上の有形メモリユニット４２０上に格納することができることに注意されたい。生理的測定データベースは、複数の生理的測定記録及び方位画像を格納するが、関連付けデータ及びシステム４００、３００、及び／又は２００の作動に必要とされる他の情報を含むことができる。任意的に、プロセッサ４３０は、関連付けデータを処理し、処理結果に基づいて有形メモリ４２０から選択生理的測定記録と少なくとも１つの符合する方位画像とを取り出すように作動可能とすることができる。プロセッサ４３０は、処理結果に基づいて有形メモリ４２０から選択生理的測定記録の全て又は当該録音の一部のみを取り出すことができることに注意されたい。
【００９５】
ユーザインタフェース出力４４０は、少なくとも１つの符合する方位画像を選択生理的測定記録の情報を提供すると共に表示するように構成される。「ユーザインタフェース出力」という用語は、情報を放出するユーザ情報のタイプ（例えば、スピーカ、ディスプレイなど）に関連する。その一方、システム４００は、そのオペレータから情報を受信するためのユーザインタフェース入力を含むことができる。
【００９６】
選択生理的測定記録の情報を提供すると共に少なくとも１つの符合する方位画像を表示する段階は、少なくとも１つの符合する方位画像を選択生理的測定記録の情報の提供と同時に表示することによって行うことができることに注意されたい。しかし、必ずしもそうとは限らないが、提供との組合せでの表示は、他の形態の組合せで実行することもできる。例えば、表示された方位画像のユーザによる選択の結果として、選択生理的測定値の情報を提供することができる（例えば、表示、再生など）。この表示する段階と提供する段階の間の組合せは、表示する段階と提供する段階の間の同時性、及び／又はこれら２つの間のつながりがシステムのユーザに対して明確であるようにこれら２つを提示する段階のいずれかを必要とする。
【００９７】
ＵＩ４４０出力によって提供される方位画像は、外部カメラ２２０によって取り込まれた画像（画像処理アルゴリズムによって処理されたもの又は未処理のもののいずれか）とすることができるが、別のタイプの方位画像とすることができることに注意されたい。例えば、表示される方位画像は、検査身体場所の場所（及び／又は測定中のセンサの場所）が例示された人体の概略図とすることができる。上記で指摘したように、テキスト説明が方位画像に置き換わることができ、従って、医療専門家（又は別のユーザ／ソフトウエア）が検査身体場所を認識した後に、方位画像の代わりに又は方位画像に加えて説明を当該ユーザに提供することができる。
【００９８】
任意的に、システム４００は、そのオペレータから情報を受信するためのユーザインタフェース入力４５０を含むことができる。ユーザインタフェース入力４５０は、物理的ユーザインタフェース（例えば、物理的なボタン、スイッチなどを含むもの）、ソフトウエアユーザインタフェース（例えば、ＡＰＩ）、及びタッチ画面ユーザインタフェース（例えば、ＵＩ４４０のディスプレイを使用するもの）等々とすることができる。任意的な機能の中でも取りわけ、システム４００のユーザが患者の生理的測定値及びそれに関連付けられた方位画像を精査することを可能にするためにＵＩ入力４５０を使用することができる。それによってユーザは、生理的測定値をセンサが近くに位置付けられた検査身体場所に関連付けることができる。後の段階で、生理的測定値が精査される他の時点でその方位を迅速化するために、ユーザは、生理的測定値をテキスト説明に関連付けることができる。
【００９９】
ＵＩ入力４５０を通じたユーザによる生理的測定値と方位画像の対の選択は、例えば、ａ．ユーザが方位画像を選択し、次いで、関連の１又は２以上の生理的測定値を提供することにより、ｂ．ユーザが生理的測定値（例えば、超音波画像又は聴診音ファイル内の時間）を選択し、次いで、１又は２以上の関連の方位画像を提供することにより、その一方で実行することができる。
【０１００】
任意的に、ユーザインタフェース出力４４０は、異なる生理的測定記録に関連付けられた複数の方位画像を表示するように構成することができ、生理学的モニタシステム４００は、複数の方位画像からの方位画像を示す選択指示を受信するためのユーザインタフェース入力４５０を更に含むことができる。そのような場合に、プロセッサ４３０は、選択指示に基づいて選択生理的測定記録を取り出すように作動可能とすることができる。
【０１０１】
任意的に、ユーザインタフェース出力４４０は、複数の生理的測定記録の識別子を表示するように構成することができ、生理学的モニタシステム４００は、複数の生理的測定記録からの生理的測定記録を示す選択指示を受信するためのユーザインタフェース入力４５０を更に含むことができる。プロセッサ４３０は、選択指示に基づいて選択生理的測定記録を取り出すように作動可能とすることができる。
【０１０２】
任意的に、ユーザインタフェース出力４４０は、複数の方位画像を含むビデオを表示するように作動可能とすることができ、プロセッサは、有形メモリから生理的測定記録を取り出し、関連付けデータに基づいて、異なる生理的測定記録の情報を提供する段階をビデオの表示段階と同期させるように作動可能である。
【０１０３】
例えば、ビデオは、外部カメラによって取り込まれた患者の肺の聴診手順のビデオとすることができる。システム４００のプロセッサ４３０が、音サンプルがビデオの一部に対応すると決定した場合に（特定のビデオフレームとの関連付けにより、対応時間タグに基づいて、又はあらゆる他の方法でのうちのいずれかで）、プロセッサ４３０は、マイクロフォン（この例ではセンサ２１０）がビデオ内に示されている検査身体部分の隣に置かれた時にマイクロフォンによって取り込まれた関連の音を再生することができる。
【０１０４】
図６は、本発明の開示の主題による方位画像と生理的測定記録の間の関連付け情報を格納するためのデータベース９００の例を示している。必ずしもそうとは限らないが、データベース９００は、例えば、システム４００の有形メモリ４２０上に格納することができる。システム４００内でデータベース９００の代わりに他のタイプのデータベースを使用することができることに注意されたい。
【０１０５】
データベースは、３つのタイプの記録を含む。記録９１０は、方位画像、又は例えば方位画像が別のデータベースに格納される場合は方位画像へのリンク又はポインタを含む。測定を実行する携帯測定システムの場所を図６の方位画像の各々の中に黒い楕円として表している。
【０１０６】
記録９２０は、生理的測定記録、又は例えば生理的測定記録が別のデータベースに格納される場合は生理的測定記録へのリンク又はポインタを含む。図示の例では、音サンプル（音符で表す）及びビデオサンプル（フィルムで表す）という２タイプの生理的測定記録が存在する。しかし、例えば、生理的測定システムの機能に依存してより多くの（又はより少ない）タイプの生理的測定記録を使用することができることは明らかである。
【０１０７】
記録９３０は、記録９１０と記録９３０の間の関連付け情報を含む。明らかなように、任意的に、単一方位画像を１よりも多い生理的測定値（１又は２以上のタイプの）に関連付けることができる。任意的に、１よりも多い方位画像を単一方位画像に関連付けることができる。任意的に、生理的測定記録のうちの一部は、いかなる方位画像にも関連付けられることにはならない（例えば、追加の場所情報、例えば、全体の耳の画像を必要としない生理的測定の記録）ことに注意されたい。
【０１０８】
図７は、本発明の開示の主題による自己案内検診を行うためのシステム１００のアーキテクチャの例を概略的に例示するブロック図である。ユーザ１０２及び患者１０３が患者場所１００に位置付けられることを見ることができる。ユーザ１０２は、一部の場合は検診を必要とする患者１０３とすることができる（ユーザ１０２と患者１０３を別個のエンティティとして示すが、そのような場合はこれらは実際には同じエンティティである）。他の場合に、ユーザ１０２は、患者１０３の検診を行うことになる個人とすることができる。
【０１０９】
図７の例に示すように、本発明の開示に説明するシステムは（同じく方法も）、生理的測定時に１又は２以上の熟練者（「熟練職員」と表示し、例えば、医療専門家、医師、看護師、及び理学療法士等々である）が患者１０３の隣にいないシナリオに対して使用することができる。本発明の開示に説明するシステム及び方法は、熟練職員がどの条件下で生理的測定が行われたか、及び生理的測定が所要手順（熟練職員によって計画されたもの、広く受け入れられている医療実施計画、又はあらゆる他の方法のうちのいずれか）に従って実施されたか否かを知ることを可能にする。
【０１１０】
本発明の開示に説明するシステム及び方法はまた、生理的測定の進行中及び生理的測定の前の準備において患者１０３（又はユーザ１０２）のガイダンスを可能にする。ガイダンスは、携帯測定システムをどのように設置するかに関するガイダンスを含むことができるが、追加のガイダンス（例えば、患者の姿勢に関するもの、携帯測定システムをどのように処理するかに関するもの、呼吸法など）を含むことができる。
【０１１１】
更に、熟練職員が、経験のない素人の患者１０３又はユーザ１０２のことを考慮する必要なく生理的測定値が何処で取得されたかを自分で確認することができるので、本発明の開示に説明するシステム及び方法は、不正診断の機会の有意な低減を更に可能にする。
【０１１２】
下記で更に詳述するように、ユーザ１０２は、検診を行うためにシステム２００を診断デバイスとして作動させる。下記で更に詳述するように、一部の場合に、ユーザ１０２は、任意的な患者ワークステーション１１４も作動させる。患者ワークステーション１１４は、実施される場合はパーソナルコンピュータ、携帯コンピュータ、セルラー受話器を含むあらゆるコンピュータ、又は例えば当該目的に対して特定的に構成することができるコンピュータ及び／又は装置を含む適切な処理機能を有する装置とすることができる。一部の場合に、患者ワークステーション１１４をシステム２００内に組み込むことができることに注意されたい。システム２００は、少なくとも１つのプロセッサ２２０（例えば、デジタル信号プロセッサ（ＤＳＰ）、マイクロコントローラ、フィールドプログラマブルゲートアレイ（ＦＰＧＡ）、特定用途向け集積回路（ＡＳＩＣ）など）と、メモリユニット２０５０（例えば、ＲＯＭ、ハードディスクなど）とを含む（そうでなければ関連付ける）ことができる。プロセッサ２２０は、命令を受信してシステム２００の構成要素及び作動を制御するように構成することができる。
【０１１３】
一部の場合に、システム２００は、患者ワークステーション１１４と通信するように構成することができる。システム２００と患者ワークステーション１１４の間の通信は、例えば、有線又は無線の通信を通じたいずれかの通信手段によって実現することができる。ユーザ１０２、患者１０３、システム２００、及び患者ワークステーション１１４は、患者場所１００に位置付けられることに注意されたい。
【０１１４】
システム２００は、上述のように様々なタイプの生理的測定値を取得するように構成することができる。取得データは、熟練職員場所１２０に位置付けられた熟練職員ワークステーション１２２及び／又は任意的な中央システム１３０に送信することができる（システム２００から直接又は患者ワークステーション１１４を通して）。中央システム１３０は、例えば、医療サービス提供者が作動させることができる。
【０１１５】
中央システム１３０及び熟練職員ワークステーション１２２は、パーソナルコンピュータ、携帯コンピュータ、セルラー受話器を含むあらゆるコンピュータ、又は例えば当該目的に対して特定的に構成することができるコンピュータ及び／又は装置を含む適切な処理機能を有する装置とすることができる。例えば、送信データ（上記でシステム２００に関して議論した）は、例えば、インターネット１１６又は別の形態のコンピュータネットワーク上で送信することができる。
【０１１６】
データは、セルラーネットワーク、ＶＰＮ、ＬＡＮのような他の公知の通信代替物を利用しながら送信することができることに注意されたい。中央システム１３０は、システム２００と同じ建物内に位置付けることができるが必ずしもそうとは限らず、別の都市又は別の国に設置することさえ可能であることに注意されたい。同じく熟練職員場所１２０も、システム２００と同じ建物内（及び／又は中央システム１３０と同じ建物内）に位置付けることができるが必ずしもそうとは限らず、別の都市又は別の国に設置することさえ可能である。
【０１１７】
中央システム１３０は、患者に関連する変更データが内部に保持される患者及び検査計画リポジトリ１３６を含むことができる。そのようなデータは、例えば、患者識別番号、患者名、患者年齢、患者連絡先詳細、患者医療データ（疾病、薬に対する過敏性など）、検査計画データ（下記で更に詳述する）などを含むことができる。中央システム１３０は、システム２００及び患者ワークステーション１１４によって取得されたデータが内部に保持される検診リポジトリ１３４を更に含むことができる。そのようなデータは、例えば、診断デバイスを用いて実施された検診の結果（下記で更に詳述する耳読取、肺音又は心音の録音、血圧、体温など）を含むことができる。中央システム１３０は、受信データを選択熟練職員ワークステーション１２２（例えば、利用可能な熟練職員ワークステーション１２２又は最も短い待ち行列を有する熟練職員ワークステーション１２２）に伝達するように構成された管理システム１３２を更に含む。
【０１１８】
中央システム１３０は、それ自体がデータを複数の患者場所から受信し、複数の熟練職員場所に伝達することができる分散方式を可能にするので、中央システム１３０を設ける場合に、１よりも多い熟練職員場所１２０及び熟練職員１２４が存在することが可能であることに注意されたい。従って、送信データが中央システム１３０で受信される場合に、データは検診リポジトリ１３４（そのような場合は有形メモリ４２０として機能することができる）内に保存され、管理システム１３２は、受信データを熟練職員場所１２０に送信することができる（例えば、インターネット１１６又は他の形態の通信を通じて）。一部の場合に、管理システム１３２は、利用可能な熟練職員に患者を登録すること、その熟練職員に対する患者のスケジュールを計画することのような他の処理を管理することができる。
【０１１９】
中央システム１３０はこの方法に対して任意的であり、任意的な中央システム１３０は熟練職員システム１２０の一部とすることができることに注意されたい。更に、患者場所１００から熟練職員場所１２０までの間の通信は、中央システム１３０の使用又は必要なく直接に行うことができる。
【０１２０】
送信データが熟練職員ワークステーション１２２で受信されると、熟練職員ワークステーション１２２（システム４００として作動させることができる）に接続することができる熟練職員データリポジトリ１２３（有形メモリ４２０として機能することができる）内にこれらのデータを保存することができる。熟練職員場所１２０に所在する熟練職員１２４（例えば、医者、看護師、及び医学生等々であり、医療データを取得及び／又は分析するための実際的知識及び技能を有するあらゆる他の個人を含む）は、取得データを例えば熟練職員ワークステーション１２２を用いて取り出し、精査することができる（例えば、システム４００に関して議論したように）。
【０１２１】
患者ワークステーション１１４、熟練職員ワークステーション１２２、及び中央システム１３０は、ディスプレイ（例えば、ＬＣＤ画面）と、キーボード又はあらゆる他の適切な入力／出力デバイスとを含むことができることに注意されたい。一部の場合に、熟練職員１２４は、例えば、データを患者ワークステーション１１４に送信して戻すことによってユーザ１０２にフィードバックを提供することができる。そのようなフィードバックは、例えば、受信データの分析、より多くのデータを受信する要求、医療処置の命令、更に別の検査への案内を含むことができる。これに代えて又はこれに加えて、熟練職員１２４は、フィードバックデータを中央システム１３０に送信することができ、中央システム１３０は、次いで、フィードバックデータを患者ワークステーション１１４に送信することができる（例えば、インターネット、セルラーネットワークなどを通して）。
【０１２２】
図１〜図７で議論したシステムでのデータ送信及びこれらのシステム間の通信を参照すると、上記で議論したシステムのうちのいずれか１つが有するいずれか２つのユニット、モジュール、システム、プロセッサなどの間のあらゆる送信及び／又は通信は、有線方式、無線方式、又はこれら両方の組合せで実行することができることに注意されたい。例えば、これらのユニット、モジュール、システム、プロセッサなどのうちの一部は、ＵＳＢ通信を用いて、シリアルバスを通して、ＬＡＮネットワークを用いて、インターネットを通して、光ファイバ−同軸ケーブル混成（ＨＦＣ）ネットワーク上で、及び他のものによって接続することができる。例えば、これらのユニット、モジュール、システム、プロセッサなどのうちの一部は、例えば、セルラー電話通信、Ｗｉ−Ｆｉ、Ｂｌｕｅｔｏｏｔｈ（登録商標）、衛星通信などを通して無線通信することができる。例えば、上記で議論した（明示的又は示唆的に）通信チャネル、すなわち、ａ．携帯測定システム２１０、外部カメラ２２０、同期モジュール２３０、通信モジュール２４０、及びプロセッサ２５０のうちのいずれか２つ（又は３つ以上）のものの間の通信、ｂ．通信モジュール４１０、メモリユニット４２０、プロセッサ４３０、ＵＩ４４０、ＵＩ４５０のうちのいずれか２つ（又は３つ以上）のものの間の通信、ｃ．システム２００、システム３００、及びシステム４００のうちのいずれか２つ（又は３つ以上）のものの間の通信のいずれも、有線通信、無線通信、又は組合せ通信を使用することができる。
【０１２３】
図８は、本発明の開示の主題による患者の生理的パラメータを測定する方法５００の例を示す流れ図である。以前の図面に関して示した例を参照すると、方法５００は、システム２００によって実行することができる。システム２００又はその構成要素のうちのいずれか１つに関して議論したあらゆる任意的な変形、機能、又は構造は、方法５００又はその１又は２以上の関連の段階に必要な変更を加えて当て嵌めることができることに注意されたい。方法５００は、少なくとも段階５３０及び５６０を含む。
【０１２４】
段階５３０は、携帯測定システムによって患者の検査身体場所から取得された生理的測定値に対して、検査身体場所に向けられた外部可視光カメラによって取り込まれた検査身体場所に隣接する携帯測定システムを含む画像である位置決め画像を関連付ける段階を含む。外部可視光カメラは、携帯測定システムには接続されず、可視光を取り込み、それに基づいて画像を発生させるように作動可能なカメラである。必ずしもそうとは限らないが、外部カメラは、赤外線放射線（例えば、近ＩＲ）に感受性である場合がある。以前の図面に関して示した例を参照すると、段階５３０は、同期モジュール２３０によって実行することができる。
【０１２５】
任意的に、生理的測定値は、患者の少なくとも一方の肺の音を含む。任意的に、生理的測定値は、少なくとも１つの血流パラメータを示す。生理的測定値の他の非限定的な例をシステム２００に関して上記で提供した。
【０１２６】
段階５６０は、生理的測定値に基づく生理的測定記録と、位置決め画像に基づく方位画像と、方位画像と生理的測定記録とを関連付ける関連付けデータとを遠隔システムに送信する段階を含む。方位画像は、検査身体場所に隣接する携帯測定システム（すなわち、その少なくとも一部）も含む。以前の図面に関して示した例を参照すると、段階５６０は、通信モジュール２４０によって実行することができる。
【０１２７】
段階５６０の送信は、携帯測定システムのデータ及び／又は外部カメラのデータに基づいて追加情報を送信する段階を含むことができることに注意されたい。例えば、そのような追加データは、時間ラベル、センサによって使用される測定パラメータ、センサによって使用される作動パラメータ、センサによって使用されるフィルタ、外部カメラによって使用される測定パラメータ、外部カメラによって使用される作動パラメータ、外部カメラによって使用されるフィルタ、追加の生理学的データ（例えば、測定時の患者の心拍数）などを含むことができる。
【０１２８】
図９は、本発明の開示の主題による患者の生理的パラメータを測定する方法５００の例を示す流れ図である。
【０１２９】
任意的に、方法５００は、携帯測定システムによって患者の検査身体場所から生理的測定値を取得する段階５１０を含むことができる。以前の図面に関して示した例を参照すると、段階５１０は、携帯測定システム２１０によって実行することができる。
【０１３０】
任意的に、方法５００は、位置決め画像を含む１又は２以上の画像の群を外部カメラによって取得する段階５２０を含むことができる。以前の図面に関して示した例を参照すると、段階５２０は、外部カメラ２２０によって実行することができる。
【０１３１】
方法５００は、段階５１０、５２０、及び５３０をトリガする段階（トリガ指示及び／又は対話指示に基づく場合がある）及び時に位置決め画像（又は複数の画像）の取得のトリガ段階を更に含むことができる。これらの段階のうちの２又は３以上がトリガされる場合に、トリガ段階は、１つのトリガ事象又は複数のトリガ事象に応答することができることに注意されたい。例えば、生理的測定は、携帯測定システムが患者の皮膚に接触したというセンサ表示に応答して開始することができ、画像の関連付けは、生理的測定が首尾良く完了したという表示に基づいてトリガすることができる。
【０１３２】
任意的に、方法５００は、生理的測定記録を提供するように生理的測定値を処理する段階５４０を含むことができる。段階５４０の処理段階は、生理的測定値に加えての追加データに基づく場合がある（例えば、携帯測定システムの作動パラメータ及び患者の医療情報等々に更に基づく場合がある）ことに注意されたい。以前の図面に関して示した例を参照すると、段階５４０は、プロセッサ２５０によって実行することができる。
【０１３３】
方法５００は、位置決め画像内で携帯位置決めシステムの場所を識別するように位置決め画像を処理する段階を更に含むことができることに注意されたい。そのような識別をもたらし、更に容易にすることができる一部の方法を方法５００の段階８５０に関してより詳細に議論する。方法５００が位置決め画像のそのような処理を含む場合に、段階５６０の送信段階は、位置決め画像内の携帯位置決めシステムの場所を示す情報を遠隔システムに送信する段階を更に含むことができる。追加情報は、方位画像の一部（例えば、決定されたセンサ場所のグラフィック表現）とすることができるが、それとは別個に提供することができる（例えば、別個のファイル内で）。
【０１３４】
任意的に、方法５００は、方位画像を提供するように位置決め画像を処理する段階５５０を含むことができる。段階５５０の処理段階は、生理的測定値に加えて追加データに基づく場合がある（例えば、外部カメラによって取得された追加画像、携帯測定システムの作動パラメータ、患者の医療情報等に更に基づく場合がある）ことに注意されたい。以前の図面に関して示した例を参照すると、段階５５０は、プロセッサ２５０によって実行することができる。一部の非限定的な例において、段階５５０の処理段階は、画像品質を改善する段階、追加情報（例えば、テキスト及び有利な情報を提供するデータ）を加える段階、クロッピング段階、匿名化段階などのうちのいずれか１つを含むことができる。
【０１３５】
方法５００は、位置決め画像内の携帯位置決めシステムの場所を識別するように位置決め画像を処理する段階を更に含むことができることに注意されたい。そのような識別をもたらし、更に容易することができる一部の方法を方法５００の段階５５０に関してより詳細に議論する。方法５００が位置決め画像のそのような処理を含む場合に、段階５６０の送信段階は、位置決め画像内の携帯位置決めシステムの場所を示す情報を遠隔システムに送信する段階を更に含むことができる。追加情報は、方位画像の一部（例えば、決定されたセンサ場所のグラフィック表現）とすることができるが、それとは別個に提供することができる（例えば、別個のファイル内で）。
【０１３６】
任意的に、方法５００は、方位画像を提供するように位置決め画像を処理する段階５５０を含むことができる。段階５５０の処理段階は、生理的測定値に加えて追加データに基づく場合がある（例えば、外部カメラによって取得された追加画像、携帯測定システムの作動パラメータ、患者の医療情報等に更に基づく場合がある）ことに注意されたい。以前の図面に関して示した例を参照すると、段階５５０は、プロセッサ２５０によって実行することができる。
【０１３７】
方法５００は、追加段階を含むことができる。例えば、方法５００は、少なくとも１つの予め決められた対話判断基準を満たすユーザ入力に応答して携帯測定システムによる生理的測定値の測定を選択的にトリガする段階を含むことができる。
【０１３８】
任意的に、方法５００は、測定のための身体場所を示す位置決め命令をユーザインタフェースを通じて提供する段階を含むことができる。
【０１３９】
任意的に、方法５００は、外部カメラによって取り込まれた複数の画像を含む画像シーケンスから位置決め画像を選択する段階を含むことができる。
【０１４０】
方法５００は、複数の身体場所から取得された生理的測定値と取得されたそれぞれの位置決め画像とを管理する段階を含むことができる。例えば、方法５００は、患者の複数の検査身体場所から生理的測定値を取得する段階と、複数の検査身体場所からの各生理的測定値に外部カメラによって取り込まれた対応する位置決め画像を関連付ける段階と、（ａ）複数の測定値からの各生理的測定値に対応する生理的測定記録、（ｂ）位置決め画像に基づく複数の方位画像、及び（ｃ）各方位画像と対応する生理的測定記録を関連付ける関連付けデータを遠隔システムに送信する段階とを含むことができる。
【０１４１】
段階５０５を参照すると、方法５００は、連続的な生理学的検査中に複数のトリガ指示を受信する段階と、複数のトリガ指示の各々に応答して、段階５３０において位置決め画像を連続的な生理学的検査中に測定された生理的測定値に関連付ける段階とを含むことができることに注意されたい。段階５５０及び／又は５６０は、これら複数の位置決め画像のうちの１又は２以上に対して実行することができる。
【０１４２】
図１０は、本発明の開示の主題による患者の生理的パラメータを測定する方法５００の例を示す流れ図である。
【０１４３】
段階５６０には、上述の遠隔システムから（又は別の遠隔システムから）医療コンテンツを受信する段階５７０を続けることができる。医療コンテンツは、例えば、患者の病態の診断、患者が行うべき投薬に関する命令、患者によって必要とされる更に別の生理的測定（同じシステムを使用すること又は医療センターを訪院することなどのいずれかによる）の表示、医療処置に関する命令などのうちのいずれか１つ又は２以上を含むことができる。以前の図面に関して示した例を参照すると、段階５７０は、通信システム２４０によって実行することができる。段階５１０、５２０、５４０、及び５５０のうちの１又は２以上を段階５７０の前に実行することができることに注意されたい。
【０１４４】
段階５７０には、医療コンテンツをユーザインタフェース出力上に提示する段階５８０を続けることができる。以前の図面に関して示した例を参照すると、段階５８０は、ディスプレイ２６０又はスピーカのような別のＵＩによって実行することができる。
【０１４５】
図１１は、本発明の開示の主題による生理学的モニタのためのコンピュータ実装方法である方法６００の例を示す流れ図である。以前の図面に関して示した例を参照すると、方法６００は、システム４００によって実行することができる。システム４００又はその構成要素のうちのいずれか１つに関して議論したあらゆる任意的な変形、機能、又は構造を方法６００又はその１又は２以上の関連の段階に必要な変更を加えて当て嵌めることができることに注意されたい。
【０１４６】
方法６００は、ａ．患者の身体に対する異なる位置で取得された複数の生理的測定値の複数の生理的測定記録、ｂ．各々が患者の身体に対する携帯測定システムの場所を示す複数の可視光方位画像（すなわち、撮像センサによって集光された可視光に基づく画像）、及びｃ．各方位画像を複数の生理的測定記録からの対応する生理的測定記録に関連付ける関連付けデータを受信する段階６１０で始まる。
【０１４７】
以前の図面に関して示した例を参照すると、段階６１０は、通信モジュール４１０によって実行することができる。
【０１４８】
段階６１０には、複数の生理的測定記録、複数の方位画像、及び関連付けデータを有形メモリ上に格納する段階６２０が続く。以前の図面に関して示した例を参照すると、段階６２０の有形メモリは有形メモリ４２０とすることができる。
【０１４９】
段階６２０には、関連付けデータに基づいて選択生理的測定記録と少なくとも１つの符合する方位画像とを有形メモリから取り出す段階を含む段階６３０が続く。取り出す段階は、選択生理的測定記録のうちの全て又は一部を取り出す段階を含むことができる。以前の図面に関して示した例を参照すると、段階６３０は、プロセッサ４３０によって実行することができる。
【０１５０】
方法６００の段階６４０は、少なくとも１つの符合する方位画像を選択生理的測定記録の情報を提供すると共に表示する段階を含む。以前の図面に関して示した例を参照すると、段階６４０は、ＵＩ出力４４０によって実行することができる。
【０１５１】
任意的に、段階６３０の前に、異なる生理的測定記録に関連付けられた複数の方位画像を表示する（例えば、段階６４０のＵＩ出力を用いて）段階と、複数の方位画像からの少なくとも１つの方位画像のユーザによる選択を示す選択指示を受信する段階とを行うことができる。そのような場合の段階６３０は、選択指示に基づいて選択生理的測定記録を取り出す段階を含むことができる。
【０１５２】
任意的に、段階６３０の前に、複数の生理的測定記録の識別子を表示する（例えば、段階６４０のＵＩ出力を用いて）段階と、複数の生理的測定記録からの生理的測定記録のユーザによる選択を示す選択指示を受信する段階とを行うことができる。そのような場合に、段階６３０は、選択指示に基づいて選択生理的測定記録を取り出す段階を含むことができる。
【０１５３】
任意的に、方法６００は、複数の方位画像を含むビデオを表示する段階と、有形メモリから生理的測定記録を取り出す段階と、関連付けデータに基づいて、異なる生理的測定記録の情報を提供する段階をビデオの表示段階と同期させる段階とを含むことができる。
【０１５４】
方法６００は、非一時的コンピュータ可読媒体上に実施することができることに注意されたい。プロセッサ上で実行された時に、ａ．（ａ）患者の身体に対する異なる位置で取得された複数の生理的測定値の複数の生理的測定記録と、（ｂ）各々が患者の身体に対する携帯測定システムの場所を示す複数の方位画像と、（ｃ）各方位画像を複数の生理的測定記録からの対応する生理的測定記録に関連付ける関連付けデータとを取得する段階、ｂ．複数の生理的測定記録、複数の方位画像、及び関連付けデータを有形メモリ上に格納する段階、ｃ．関連付けデータに基づいて、有形メモリから選択生理的測定記録と少なくとも１つの符合する方位画像とを取り出す段階、及びｄ．少なくとも１つの符合する方位画像を選択生理的測定記録の情報を提供すると共に表示する段階を実施する命令が格納された生理学的モニタのための非一時的コンピュータ可読媒体を開示する。
【０１５５】
方法６００の全ての他の段階はまた、非一時的コンピュータ可読媒体上に格納された命令として実施することができることに注意されたい。
【０１５６】
ａ．（ａ）患者の身体に対する異なる位置で取得された複数の生理的測定値の複数の生理的測定記録と、（ｂ）各々が患者の身体に対する携帯測定システムの場所を示す複数の方位画像と、（ｃ）各方位画像を複数の生理的測定記録からの対応する生理的測定記録に関連付ける関連付けデータとを取得する段階、ｂ．複数の生理的測定記録、複数の方位画像、及び関連付けデータを有形メモリ上に格納する段階、ｃ．関連付けデータに基づいて、有形メモリから選択生理的測定記録と少なくとも１つの符合する方位画像とを取り出す段階、及びｄ．少なくとも１つの符合する方位画像を選択生理的測定記録の情報を提供すると共に表示する段階をコンピュータに実行させるプログラムを開示する。
【０１５７】
方法６００の全ての他の段階をコンピュータにこれらの段階を実施させるプログラム命令として実施することができることに注意されたい。
【０１５８】
図１２は、本発明の開示の主題による生理学的モニタのための方法７００の例を示す流れ図である。以前の図面に関して示した例を参照すると、方法７００の実行をシステム２００及びシステム４００が調整することができる。方法７００は、少なくとも段階５３０、５６０、６１０、６２０、６３０、及び６４０を含み、段階５１０、５２０、５４０、５５０、５７０、及び５８０のうちの１又は２以上のあらゆる組合せを含むことができることに注意されたい。方法７００は、上記で図７に関して議論したシステム１００内で実行することができる。
【０１５９】
図１３Ａ及び図１３Ｂは、本発明の開示の主題による方法５００及び６００での匿名化の例を示す流れ図である。図１３Ａは、方法５００の中に匿名化をどのように組み込むことができるかを明らかにしており、図１３Ｂは、方法６００の中に匿名化をどのように組み込むことができるかを明らかにしている。
【０１６０】
図１３Ａを参照すると、段階５５０は、方位画像から識別可能な視覚情報を除去するために方位画像を匿名化する段階５５１を含むことができることに注意されたい。様々なレベルの匿名化を行うことができることに注意されたい。匿名化レベルは、様々な要件、例えば、ユーザのプリファレンス、規制、ビジネスモデル、実行される検診のタイプ、及び意図する受け手（医学生、看護師、一般医、専門医など）等々に依存する場合がある。匿名化は、方位画像を特定の個人に関連付けることが医療的な理由から不要である場合に、この関連付けを阻止する（又は可能性を低減する）ことを意図している。
【０１６１】
方位画像（又はその一部分）の匿名化に使用することができる画像処理アルゴリズムに関する少数の非包括的な例は、ａ．ＡＣ擬似ランダム係数、ＡＣサブバンド擬似ランダム係数反転、係数反転、係数並べ替え、及びサブバンド適応スクランブル化のような変換領域演算、ｂ．ぼかし、モザイク処理、マスク処理、ｋ同値（及びｋ同値選択、ｋ同値ｍのような変形）、抽象化演算子、顔マスク処理、ピクセル再位置決め、カオス暗号技術、ワープ法、ｃ．シルエット化、ｄ．上述したもののあらゆる組合せである。
【０１６２】
段階５５２及び５５３は、段階５５１の匿名化の変形の例である。段階５５２は、患者の選択身体部位（例えば、顔、胸など）を方位画像内に示されている他の身体部位よりも高い匿名化レベルで匿名化する段階を含む。他の部分は、全く匿名化しないまま又は部分的に匿名化したままに残すことができる。
【０１６３】
段階５５３は、携帯測定システムの周りの部位を整然としたままに保ちながら方位画像のうちで携帯測定システムから遠い部分を匿名化する段階を含む。このようにして、方位画像を観察している個人（又はそれを解析しているシステム）は、センサの位置決め及びその方位等々の明瞭な理解を有することができる。
【０１６４】
測距カメラ（又は他の３Ｄセンサ）が外部カメラとして使用される場合に、段階５５１の匿名化は、シーンの背景を匿名化するが、患者の一部を整然としたままに残す段階を更に含むことができる。
【０１６５】
方法５００はまた、匿名化画像をＵＩ上でユーザに提示する段階を含むことができる。匿名化画像は、位置決め画像、方位画像、又は外部カメラによって取得されたデータに基づく別の画像の匿名化バージョンとすることができる。患者は、自分の匿名化（例えば、漫画化、ぼかしなど）画像によって提示される場合に、撮像処理及び遠隔システムへの送信においてより快適であると考えられる。これは、通常は露出されない身体部分を露出する段階を有する検診又は人々が恥ずかしがる可能性がある病態を有する場合により一層顕著である。
【０１６６】
図１３Ｂを参照すると、この場合の匿名化は、ユーザ側のシステムによって実行される（図１３Ａの例の場合と同じ）のではなく、方位画像が送られた後に実行される（例えば、サーバによって又は医師システムにより）。そのような場合の方法６００は、方位画像のうちの１又は２以上を匿名化する段階６５０を含む。図１３Ａに関して議論した匿名化の変形のうちのあらゆるものを方法６００の一部として実施することができることに注意されたい。匿名化は、方法の様々な段階（図内の複数のフロー矢印によって明らかにしている）において、すなわち、方位画像をメモリモジュールに保存する前、保存段階の後であるが選択段階の前又はどの画像を表示するかを選択した後に実行することができることも注意されたい。
【０１６７】
そのような場合の段階６４０は、少なくとも１つの符合する方位画像の匿名化バージョンを選択生理的測定記録の情報を提供すると共に表示する段階６４１を含む。
【０１６８】
図１４Ａ及び図１４Ｂは、本発明の開示の主題による方位画像における匿名化オプションの少数の例を提供している。図１４Ａ及び図１４Ｂの各々において、位置決め画像、位置決め画像の処理されたバージョン、又は外部カメラによって取得されたあらゆる他の画像のいずれかとすることができるオリジナル画像（「オリジナル画像」と表示している）が存在する（匿名化は、方法８００の基準画像又は生理学的検査手順を記録するビデオのような外部カメラによって取得された他の画像において行うことができることに起因して）。更に、これら２つの図の各々は、１又は２以上の画像処理アルゴリズムが適用されたオリジナル画像の匿名化バージョンを示している。
【０１６９】
図１４Ａは、オリジナル画像のポスター化（連続的な色調グラデーションからより少ない色調のいくつかの領域への変換を含む）及びデフォーカスを明らかにしている。図１４Ｂは、クロッピング（顔部位のような画像のうちで容易に識別可能な部分の除去）、輪郭（又はエッジ）強調（「ワイヤフレーミング」とも呼ぶ）、及び１つのものの結果に他が順次適用された少数の画像処理色ベースアルゴリズムの成果を明らかにしている。当業者には、他の画像処理技術を使用することができることが明らかであろう。
【０１７０】
図１５は、本発明の開示の主題による携帯測定システム及び外部カメラを用いた生理学的モニタのための方法８００の例を示す流れ図である。以前の図面に関して示した例を参照すると、方法８００は、システム２００、システム４００、又はその組合せを用いて実行することができる。以前の図面に関して示した例を参照すると、方法８００は、システム１９００、システム４００、又はその組合せを用いて実行することができる。
【０１７１】
方法８００は、方法５００及びシステム２００の検査手順のパーソナライズ化を可能にする。このようにして、検査場所及び他の検査パラメータ（携帯測定システムの向き、患者の身体に対するためのシステムの押圧レベルなど）
【０１７２】
段階８１０は、患者の事前選択身体部分を含む基準画像を外部カメラから取得する段階を含む。例えば、事前選択身体部分は、顔と胸部、顔と本体、背中と腕などを含むことができる。任意的に、事前選択身体部分のうちの一部は、自動アルゴリズムによってかなり容易に識別される部分とすることができる。こうして基準画像は、システム２００及び方法５００の位置決め画像を事前選択身体部分のうちの１又は２以上を識別することによって取得するための基準画像として機能することができる。
【０１７３】
事前選択身体部分は、特定の患者及び／又は特定の検査（又は他の生理的測定）に向けて医療専門家又は別の熟練人員（及び／又は患者又は別のユーザ）が選択することができる。
【０１７４】
段階８１０は、全自動で又は技術者（例えば、制御センターで遠隔システムを作動させる）の助けを借りて実行することができることに注意されたい。段階８１０は、自分自身及び／又は外部カメラの位置決め、姿勢等に関する命令をユーザに与える段階を含む。基準画像の取得のトリガ段階は、ユーザにより、技術者（又は現場又は遠隔場所のいずれであるかに関わらず別のオペレータ）により、又は特定の条件が満たされているか（例えば、事前選択身体部分、十分な照明などを示すか）否かを決定する自動アルゴリズムによって行うことができる。
【０１７５】
段階８２０は、基準画像上の１又は２以上の検査場所をマーク付けする段階を含む。マーク付けは、医師、看護師、技術者、又は別の医療専門家又は熟練職員が行うことができる。マーク付けは、有意な結果を測定することができる生理学的に重要な場所に携帯測定システムを運ぶようにユーザに命令するように機能することができる。マーク付けは、例えば、患者が疼痛を感じる場所などを医療専門家に通知するためにユーザ（又はユーザの近所にいる別のオペレータ）が行うことができる。任意的に、マーク付けは、時々に繰り返す又は修正することができることに注意されたい（例えば、医師によって見極められる患者の変化する医療必要性に基づいて）。各検査場所は点とすることができ、かつそれよりも大きい着目領域とすることができることに注意されたい。任意的に、段階８２０は、検査に関する他のパラメータ、例えば、携帯測定システムの向き、患者の身体に対するためのシステムの押圧レベルなどを選択する段階を含むことができる。
【０１７６】
任意的な段階８３０は、基準画像及び場所情報（携帯測定システムが検査場所から外れたいずれかの選択場所にあるか否かを外部カメラからの画像データを用いて検証することを可能にする）を無形メモリ上に格納する段階を含む。格納段階は、場所情報を画像の一部（例えば、ピクセルメタデータ）又は別個のデータファイルとして格納する段階を含むことができる。段階８２０において追加パラメータ（例えば、方位など）が選択される場合に、段階８３０においてこれらのパラメータも記録される。
【０１７７】
段階８４０で始まる方法８００のその後の段階は検査段階であり、例えば、方法５００で上述したように患者から生理的測定値を取得することを意図している。
【０１７８】
段階８４０は、外部カメラによって取り込まれた少なくとも１つの画像が基準画像に対する予め決められた類似性判断基準を満たすか否かを決定するように外部カメラからの画像データを処理する段階を含む。外部カメラによって取り込まれる画像は実時間（又は近実時間）画像である。段階８４０は、基準画像と同じ識別可能な姿勢に戻るための位置及び姿勢を取るように患者に命令する段階を含むことができる。
【０１７９】
このようにして、患者が、基準画像を取り込んだ時にいた場所／姿勢と類似の場所／姿勢にいることを検証することが可能である。基準画像に対しては検査場所のマーク付けを行っているので、患者を類似の場所／姿勢に有することにより、検査時に検査場所を患者に適応することが可能になる（患者の身体に対して携帯測定システムを何処に設置されるかが実時間で決定される）。同じ姿勢を維持することは、いくつかのタイプの生理的測定に対して重要である場合があることに注意されたい。
【０１８０】
段階８４０の類似性判断基準は、例えば、識別可能な身体場所の間の距離、両方の画像内の患者のシルエットの間の重複度、シルエット上の特定のアンカー点の間の関係等に基づく場合がある。
【０１８１】
段階８４０は、基準画像（又は基準画像に基づく画像）と実時間取り込み画像とを互いに重ねて患者に示す段階８４１を含むことができる。このようにして、患者は、類似の場所／姿勢にどのようにして戻るかに関する明確な可視命令を有することができる。患者に示されている画像は、図１３Ａ及び図１３Ｂに関して議論した匿名化画像とすることができる。例えば、クライアントが自分のシルエット又は不鮮明画像に適合することを必要とする場合がある。
【０１８２】
段階８４０の条件が満たされると、方法８００は段階８５０に続く。これに代えて（又は組合せ方式で）、方法５００が段階８４０に続くことができる。読者には、方法５００が方法８００のいずれかの部分と組み合わされる場合に、外部カメラが同じ外部カメラであり（更にそれによって取り込まれるデータが位置決め画像を含み）、携帯測定システムが同じ携帯測定システムであり、患者が同じ患者であることが明らかであろう。
【０１８３】
段階８５０は、段階８３０で格納された場所情報と、少なくともの１つの画像内の携帯測定システムの識別場所とに基づいて、外部カメラによって取り込まれた少なくとも１つの画像（内部に携帯測定システムが示された）が予め決められた場所判断基準を満たすか否かを決定するように外部カメラからの画像データを処理する段階を含む。
【０１８４】
外部カメラによって取り込まれた画像における携帯測定システムの識別は、様々な方法で実行することができる。例えば、センサは独特な形状因子を有することができる。任意的に、センサ上の光源（例えば、ＬＥＤ又はセンサのＵＩ画面）は、時間的に識別可能なパターン（例えば、変調律動信号）、グラフィックパターンを放出するか又はセンサ自体をシーンの残りから区別するように選択されるパターン（色、空間構成、時間周波数等において異なる）さえも放出することができる。携帯測定システムによって放出されるパターンは、外部カメラ（又はシステム２９０のようなシステム）から出された指令に基づく場合がある。例えば、外部カメラは、オン／オフ命令を出し、携帯測定システムの応答を識別することができる。
【０１８５】
場所判断基準は、ピクセル数（例えば、携帯測定システムと検査場所の間が４０ピクセル未満）、センチメートル（例えば、これらの場所の間が４ｃｍ未満）、又はあらゆる他の方法で表すことができる。場所判断基準は、検査場所で実行される生理的測定のタイプに依存して変化する場合がある。段階８６０の生理的測定値の収集をトリガする前に、他の基準（例えば、センサの向き、バッテリレベル、信号レベル）を必要とする可能性もある。
【０１８６】
段階８５０は、外部カメラによって取り込まれた実時間画像／ビデオ（患者自身の）上及び／又は基準画像（又は基準画像に基づく画像）上で検査場所の表示を患者に示す（場所表示に基づいて）段階８５１を含むことができる。例えば、段階８５１は、測定される次の検査場所の上に円を示す段階を含むことができる。患者が移動するか又は姿勢を変更する場合に、この円は患者の画像と共に移動することができる。必ずしもそうとは限らないが、段階８５１は、携帯測定システムの場所を強調する段階を含むことができる（例えば、画像内の携帯測定システムの場所の上にグラフィック記号を重ねることにより）。
【０１８７】
このようにして、患者は、生理的測定の成功に向けてどのようにしてセンサを正しく位置決めするかに関する明確な可視命令を有することができる。任意的に、センサを運ぶべき場所を第１のグラフィック表現を用いてマーク付けすることができ、センサの現在場所を第２のグラフィック表現を用いてマーク付けすることができる。任意的に、第１のグラフィック表現と第２のグラフィック表現は、互いに相補するように設計される（例えば、２つの半円、十字形のフレームとその内側に嵌まり込む小さめの十字など）。任意的に、携帯測定システムが指定場所に来た状態で第３のグラフィック表現（例えば、緑色の円）を提示することができる。第２のグラフィック表現は省くことができることに注意されたい。
【０１８８】
段階８５０の条件が満たされた状態で携帯測定システムによる生理学的データの取得をトリガすることができるが、他のトリガスキームを実施することもできる。例えば、生理的測定は、段階８５０の条件が満たされる前であっても始めることができ、この条件に基づいて生理学的データ（又は外部カメラによって記録された画像データ）にマーカを追加することができ、又はあらゆる他のアクションを講じる（例えば、更に別のアクションに関して患者に命令する）ことができる。
【０１８９】
方法８００の段階８６０は、携帯測定システムから受信した生理的測定データを記録する段階を含む。段階８６０は、外部カメラ（又はカメラが含まれるか又はカメラに接続されたシステム）、センサ、又は遠隔システム（サーバなど）がトリガすることができる。任意的に、トリガ段階は、患者の入力に基づく場合がある。任意的に、トリガ段階は、センサから受信した生理的測定データに基づく場合がある（例えば、十分な品質の信号がサンプリングされる場合）。任意的に、トリガ段階は、センサと指定測定場所の間の相対的な場所に基づく場合がある（例えば、センサが正しい場所に近いが、正確にそこにあるわけではない場合）。トリガ段階に関する追加情報を方法５００の段階５０５に関して提供したが、これらの情報は、必要な変更を加えた上で段階８６０に対して適用される。
【０１９０】
段階８６０は、段階８５０の条件が満たされた時に開始することができるが、必ずしもそうとは限らず、他のトリガ条件を使用することもできる。他のシナリオは、遠隔場所の医療専門家、ユーザによる現場トリガ等によって生理的測定値の収集をトリガする段階を含むことができる。
【０１９１】
任意的に、段階８５０の条件が満たされた時に、外部カメラによって位置決め画像を取得（及び／又はマーク付け）する段階８７０が実行される。段階８７０のトリガ段階のための他のシナリオは、遠隔場所の医療専門家によるトリガ段階、ユーザによる現場トリガ段階などを含むことができる。
【０１９２】
段階８７０は、方法５００の段階５２０を実行する段階を含むことができ、段階５２０に関して上記で提供したあらゆる情報を必要な変更を加えた上で段階８７０に関して行うことができる。「位置決め画像」という用語に対しては上記で詳細に議論した。
【０１９３】
段階８６０及び８７０には、位置決め画像と生理的測定値とを同期させる（そうでなければ関連付ける）段階が続く。段階８８０は、方法５００の段階５３０を実行する段階を含むことができ、段階５３０に関して上記で提供したあらゆる情報を必要な変更を加えた上で段階８８０に関して行うことができる。例えば、段階８８０は、生理学的記録及び／又は位置決め画像にタイムスタンプを追加する段階を含むことができる。別の例では、段階８８０は、生理学的記録及び／又は位置決め画像に測定識別子（例えば、独特な識別子）を追加する段階を含むことができる。
【０１９４】
任意的に、段階８８０には、方法５００の段階５４０、５５０、及び５６０に（それぞれ）対応する段階８９１、８９２、及び８９３のうちの１又は２以上の段階のあらゆる組合せを実行する段階を続けることができる。５４０、５５０、又は５６０に関して上記で提供したあらゆる情報は、必要な変更を加えた上で（それぞれ）段階８９１、８９２、又は８９３に関して実施することができる。
【０１９５】
方法８００は、段階８４０及び８５０の条件のうちの１又は２以上がもはや満たされない場合に補正アクションを適用する段階８１００を含むことができる。例えば、そのようなシナリオは、患者が基準画像の姿勢から離れてしまうシナリオ、患者が携帯測定システムを指定検査場所から移動してしまう（又は関連がある場合に、携帯測定システムの向き又は押圧レベルを変更してしまう）シナリオ、及び生理的測定値の信号品質が品質閾値を下回ってしまうシナリオ等々を含むことができる。
【０１９６】
そのような機会に応答して実行することができる少数の補正アクションは、例えば、正しい作動を再開するように患者に命令する段階、生理的測定値の記録を停止する段階、生理学的記録において当該事象が発生した時間をマーク付けする段階、位置決め画像を取得する段階などのうちのいずれか１つ又は２以上を含むことができる。
【０１９７】
類似の問題解決手順（段階８１００と類似の）を方法５００に組み込むことができることに注意されたい。
【０１９８】
ユーザの検査処理中に１よりも多い検査場所を必要とする場合に、段階８５０は、上記で議論したその後の段階と共に繰り返すことができる。段階８５０の別の繰り返しが実行される前に、異なる要件を満たすことが必要である可能性があることに注意されたい。例えば、段階８６０、８７０、及び／又は８８０の実施の成否を段階８５０の別の繰り返しを始める前に検証することが必要である場合がある。
【０１９９】
上述のように、方法８００は、任意的にシステム２００によって実行することができる。任意的に、システム２００は、方位画像を提供するように位置決め画像を処理するように作動可能な画像処理モジュール（例示していない）を含むことができ、この処理段階は、方位画像から識別可能な視覚情報を除去するために方位画像を匿名化する段階を含む。画像処理モジュールによって実行される匿名化は、方法８００に関して議論した匿名化技術のうちのいずれか１つ又は２以上を含むことができる。
【０２００】
必ずしもそうとは限らないが、画像処理モジュールはプロセッサ２５０の一部とすることができることに注意されたい。画像処理モジュールは、上記で議論したように、内部に携帯測定システムが示された方位画像を提供するように位置決め画像を処理するものと同じ画像処理モジュールとすることができる。
【０２０１】
方法５００を参照すると、方法５００は、方法８００のいずれか１つ又は２以上の段階又はその変形を含むことができることに注意されたい。例えば、方法５００は、外部カメラによって取得された少なくとも１つの画像をこれらの画像内で予め決められた場所に対する携帯測定システムの場所が近接度判断基準を満たすか否かを決定するように処理する（段階８５０と同じく）段階と、この場所が近接度判断基準を満たす条件時に、携帯測定システムによって測定される生理的測定値の収集を選択的にトリガする段階とを含むことができる。段階８５０、８６０、及び８７０に関して議論したように、生理的測定値の収集のトリガ段階は、測定の開始をトリガする段階、測定値の記録をトリガする段階、及び／又は遠隔システムへの測定値の送信をトリガする段階を含むことができる。
【０２０２】
近接度判断基準は、ピクセル数（例えば、センサと予め決められた場所との間が４０ピクセル未満）、センチメートル（例えば、これらの場所の間が４ｃｍ未満）、又はあらゆる他の方法で表すことができる。近接度判断基準は、予め決められた場所で実行される生理的測定のタイプに依存して変化する場合がある。生理的測定値の収集をトリガする前に、他の基準（例えば、センサの向き、バッテリレベル、信号レベル）を必要とする可能性もある。
【０２０３】
システム２００に関して、これは、（ａ）外部カメラによって取得された少なくとも１つの画像をこれらの画像内で予め決められた場所に対する携帯測定システムの場所が近接度判断基準を満たすか否かを決定するように処理するように作動可能な画像処理モジュールと、（ｂ）この場所が近接度判断基準を満たす条件時に、携帯測定システムによって測定される生理的測定値の収集を選択的にトリガするように作動可能なプロセッサとを含むシステム２００によって実施することができる。必ずしもそうとは限らないが、画像処理モジュールはプロセッサ２５０の一部とすることができることに注意されたい。画像処理モジュールは、上記で議論したように、内部に携帯測定システムが示された方位画像を提供するように位置決め画像を処理するものと同じ画像処理モジュールとすることができる。
【０２０４】
別の例では、方法５００は、外部カメラによって取得された少なくとも１つの画像をこれらの画像内で予め決められた場所に対する携帯測定システムの場所が近接度判断基準を満たすか否かを決定するように処理する（段階８５０と同じく）段階と、この場所が近接度判断基準を満たす条件時に、携帯生理学的センサが的確に位置決めされていることを示すＵＩ表示（例えば、音、グラフィック表現）をユーザに選択的に提供する段階とを含むことができる。
【０２０５】
近接度判断基準は、ピクセル数、センチメートル、又はあらゆる他の方法で表すことができる。近接度判断基準は、予め決められた場所で実行される生理的測定のタイプに依存して変化する場合がある。ＵＩ表示をトリガする前に、他の基準（例えば、向き、バッテリレベル、信号レベル）を必要とする可能性もある。
【０２０６】
システム４００及び方法６００をシステム２００から離れた医師、技術者、医療専門家、又はあらゆる他のユーザが検査場所を選択するのを助けるように適応させることができる。
【０２０７】
生理学的モニタシステム４００は、例えば、生理的測定値を取得する携帯測定システムと、この携帯測定システムの外部にあり、患者の身体の画像を取得するカメラとを含む遠隔システム（この場合に、システム２００のようなシステム）から複数の生理的測定記録と複数の可視光方位画像に関連付けデータとを受信するように作動可能な独自の通信モジュール４１０を有することができる。
【０２０８】
システム４００（モジュール４４０及び４５０を含む）のユーザインタフェースは、（ａ）カメラによって取得された患者の身体の基準画像を表示し、（ｂ）基準画像上の複数のユーザ選択場所を示すユーザ入力を取得するように構成することができる。そのような場合の通信モジュール４１０は、ユーザ選択場所を示す情報を遠隔システム（例えば、システム２００）に送信するように作動可能であり、複数の生理的測定値は、ユーザ選択場所に基づいて遠隔システムによって決定された異なる位置で取得される。
【０２０９】
方法６００に関して、段階６１０の受信段階は、生理的測定値を取得する携帯測定システムとこの携帯測定システムの外部にあり、患者の身体の画像を取得するカメラとを含む遠隔システムから複数の生理的測定記録と複数の可視光方位画像と関連付けデータとを受信する段階を含むことができる。段階６１０の受信段階の前に、ａ．カメラによって取得された患者の身体の基準画像をユーザインタフェース上に表示する段階、ｂ．基準画像上の複数のユーザ選択場所を示すユーザ入力を取得する段階、ｃ．ユーザ選択場所を示す情報を遠隔システムに送信する段階を行うことができる。
【０２１０】
そのような場合に、複数の生理的測定値は、ユーザ選択場所に基づいて遠隔システムによって決定された異なる位置で取得されるようなものとすることができる。
【０２１１】
図１６は、本発明の開示の主題による携帯測定システムの位置が外部カメラから隠れている間にこの位置を決定するためのコンピュータ実装方法１０００の例を示す流れ図である。以前の図面に関して示した例を参照すると、方法８００は、システム２００を用いて実行することができる。方法１０００を方法５００内に組み込むことができることに注意されたい。
【０２１２】
方法１０００は、携帯測定システムが外部カメラによって少なくとも部分的に視認可能である（従って、携帯測定システムの場所を決定することができる）第１の時点で外部カメラによって取り込まれた画像データを外部カメラから受信する段階１０１０を含む。
【０２１３】
段階１０２０は、携帯測定システムによって収集されたこの携帯測定システムの経時的移動を示すナビゲーションデータを取得する段階を含む。特に、ナビゲーションデータは、第１の時点の後の携帯測定システムの移動を示している。ナビゲーションデータは、携帯測定システムの内部センサ、ジャイロスコープ等が取得することができる。段階１０２０は、段階１０３０を実行するユニットによって実行される（例えば、プロセッサ２５０、同期モジュール２３０など）。
【０２１４】
段階１０３０は、携帯測定システムが外部カメラから隠れている第２の時点での携帯測定の査定場所を決定するようにナビゲーションデータと外部カメラによって取り込まれた画像データとを処理する段階を含む。例えば、第２の時点は、第１の時点から１秒〜６０秒後（又はそれよりも長いもの）とすることができる。大きい誤差が累積することを防止するために、時々に携帯測定システムを外部カメラに示すようにユーザに要求することができることに注意されたい。
【０２１５】
方法１０００は、査定場所がその上に示す推定方位画像を外部カメラによって取り込まれた画像に基づいて生成する段階１０４０を含むことができる。
【０２１６】
方法１０００は、推定方位画像を第２の時点で携帯測定システムによって患者の検査身体場所から取得された生理的測定値に関連付ける段階を含むことができる。段階１０５０は、方法５００の段階５３０の関連付け段階と同じく生理学的データを関連付ける段階を含むことができ、段階５３０に関して上記で提供したあらゆる情報を必要な変更を加えた上で段階１０５０に関して行うことができる。
【０２１７】
方法１０００の段階１０６０は、外部カメラによって取り込まれ、その上に査定場所が示された画像を遠隔システムに送信する段階を含む。査定場所は、いずれかのグラフィック記号又はあらゆる他のグラフィック表現によって表すことができる。
【０２１８】
方法１０００は、例えば、外部カメラ取って視認可能ではない部位内の生理的測定を患者が位置を変更することを必要とすることなく可能にするために使用することができる（方法５００と共に使用するか、それとは別個に使用するかのいずれか）。例えば、センサが、患者のほくろの画像を撮影するカメラである場合に、患者の身体の正面部分の上のほくろの画像を方法５００を実行することによって記録されたセンサの位置で撮像することができ、一方、方法１０００を実行することによって背中の上のほくろを記録することができる。方法５００及び８００の場合と同様に、方法１０００は、センサ、フィルタのような向きのような追加パラメータの記録段階及び送信段階を含むことができる。
【０２１９】
センサの位置決めを検出するために、移動センサに加えて複数の外部カメラによる３Ｄ再現を使用することができることに注意されたい。
【０２２０】
方法１０００は、システム２００によって実行することができることに注意されたい。例えば、システム２００は、任意的に、（ａ）携帯測定システム２１０によって取得された携帯測定システムの経時移動を示すナビゲーションデータを取得し、（ｂ）携帯測定システムが外部カメラから隠れている第２の時点での携帯測定の査定場所を決定するようにナビゲーションデータと第１の時点に外部カメラ２２０によって取り込まれた画像データとを処理し、（ｃ）外部カメラ２２０によって取り込まれた画像に基づいて査定場所がその上に示す推定方位画像を発生させるように作動可能な画像処理モジュール（例示していない）を含むことができる。
【０２２１】
必ずしもそうとは限らないが、画像処理モジュールはプロセッサ２５０の一部とすることができることに注意されたい。画像処理モジュールは、上記で議論したように、内部に携帯測定システムが示された方位画像を提供するように位置決め画像を処理するものと同じ画像処理モジュールとすることができる。
【０２２２】
そのような場合の同期モジュール２３０は、第２の時点で取得された生理的測定値を推定方位画像に関連付けるように作動可能であり、通信モジュール２４０は、（ａ）第２の時点で取得された生理的測定値に基づく第２の生理的測定記録と、（ｂ）推定方位画像と、（ｃ）推定方位画像と第２の生理的測定記録とを関連付ける関連付けデータとを遠隔システムに送信するように作動可能である。
【０２２３】
図１７Ａ及び図１７Ｂは、本発明の開示の主題による患者の生理的パラメータを測定するためのシステム１７００の例を示す機能ブロック図である。システム１７００は、少なくとも、ａ．患者の生理的測定値を取得するように作動可能な携帯測定システム１７１０、ｂ．患者の身体の可視光画像を取り込むように作動可能であり、検査身体場所に向けられた外部カメラ１７２０、及びｃ．（ａ）外部カメラによって取得された少なくとも１つの画像をこれらの画像内の携帯測定システムの場所を決定するように処理し、（ｂ）この場所が予め決められた検査場所に対する近接度判断基準を満たす条件時に携帯測定システムの生理的測定の変更を開始するように作動可能なプロセッサ１７５０を含む。
【０２２４】
必ずしもそうとは限らないが、システム１７００はシステム２００として機能することができる（この場合に、構成要素１７１０、１７２０、及び１７５０は、それぞれ構成要素２１０、２２０、及び２５０として機能する）ことに注意されたい。構成要素２１０、２２０、及び２５０に関して上記で提供したあらゆる情報は、必要な変更を加えた上で（それぞれ）構成要素１７１０、１７２０、及び１７５０に関して実施することができる。
【０２２５】
プロセッサ１７５０は、外部カメラ１７２０の複数の画像を処理するが、これらの画像のうちの一部のみ内での携帯測定システム１７１０の場所しかを決定しないように作動可能とすることができることに注意されたい（例えば、システム１７１０が画像のうちの全て内で示されるか又は識別されるわけではない場合、又はＮ枚の画像毎にしか処理されない場合等々）。
【０２２６】
プロセッサ１７５０は、外部カメラ１７２０の一部の画像内の携帯測定システム１７１０の場所を決定するが、近接度判断基準が満たされた時にのみ、更に、その全ての場合に必ずということでさえもなく生理的測定の変更を開始することができることに注意されたい。例えば、プロセッサ１７５０は、システム１７１０が予め決められた検査場所からの第１の距離（例えば、５ｃｍ）に到達した時にシステム１７１０の生理的測定を開始し、システム１７１０が予め決められた検査場所からの第２の距離（例えば、２ｃｍ）に到達した時に測定情報を記録し始め、システム１７１０が予め決められた検査場所から離れた（例えば、３ｃｍよりも大きい距離まで）場合にＵＩ通知をユーザに出すことができる。
【０２２７】
任意的に、プロセッサ１７５０は、携帯測定システム１７１０の場所が近接度判断基準を満たす条件時に携帯測定システム１７１０に生理的測定を開始させるように作動可能とすることができる。
【０２２８】
任意的に、プロセッサ１７５０は、携帯測定システム１７１０の場所が近接度判断基準を満たす条件時に生理的測定のデータ収集の開始をもたらすように作動可能とすることができる。例えば、データ収集は、携帯測定システム１７２０、プロセッサ１７５０、スマート電話（又はタブレットコンピュータのような別の携帯コンピュータ）１７９０、遠隔システム３００、遠隔システム４００のうちのいずれか１つ又は２以上によって実行することができる。生理的測定のデータ収集には、追加データ（例えば、外部カメラ１７２０からの画像、測定に関するメタデータ、タグ、測定連続番号、他のメタデータなど）の収集を並行することができることに注意されたい。
【０２２９】
任意的に、プロセッサ１７５０は、携帯測定システム１７１０の場所が近接度判断基準を満たす条件時に携帯測定システム１７１０に生理的測定パラメータを変更させるように作動可能とすることができる。例えば、生理的測定パラメータの変更は、測定分解能、電圧レベル、個別測定の間の時間差などを含むことができる。
【０２３０】
任意的に、プロセッサ１７５０は、携帯測定システムの場所が近接度判断基準を満たす条件時に（例えば、患者が携帯測定システムを指定検査場所から離した場合）、ユーザインタフェースに携帯測定システムの場所を修正する命令をユーザに対して提供させるように作動可能とすることができる。このユーザインタフェースは、例えば、ディスプレイ１７６０、スピーカ、又はシステム１７１０のスピーカのような別のシステムのＵＩとすることができる。プロセッサ１７５０は、患者がシステム１７１０の向き及び／又は押圧レベルを変更した場合に、生理的測定の信号品質が品質閾値を下回った場合に基準画像を処理すること（例えば、患者が姿勢を変更したか否かを決定するために）等によってユーザインタフェースに他の条件下の命令又は通知を提供させることができる。患者に、正しい作動を再開するか又はシステム１７１０を正しい場所に移動するように命令することができる。そのような場合にプロセッサがトリガすることができる他のアクションは、生理的測定値の記録を停止する段階、生理学的記録内で事象が発生した時間をマーク付けする段階、位置決め画像を取得する段階等である。
【０２３１】
システム１７００は、生理的測定値を別のシステム（例えば、サーバ、コールセンター、医院のような別の場所にあるもの）に送信するための通信モジュール１７４０を含むことができる。他のシステムは、例えば、遠隔デスクトップコンピュータ、遠隔パーソナルコンピュータ（例えば、ラップトップ、タブレットコンピュータ、スマート電話）、サーバ、システム３００、システム４００とすることができる。通信モジュール２４０に関して上記で提供したあらゆる情報を必要な変更を加えた上で構成要素１７４０に関して行うことができる。
【０２３２】
図７に戻ると、システム２００を示す患者場所１００においてシステム１７００を使用することができることに注意されたい。同様に、熟練患者場所１２０は、必ずしもシステム４００の全ての機能を有するとは限らない別のシステムとすることができる（例えば、このシステムは、システム４００に関して議論したようと同期データを使用するように作動可能である必要が必ずしもない場合がある。図７のシステムの使用とシステム１７００の使用との間で他の変更及び調節を行うことができる。
【０２３３】
図１８は、本発明の開示の主題による生理学的モニタのためのコンピュータ実装方法１８００の例を示す流れ図である。以前の図面に関して示した例を参照すると、方法１８００は、システム１７００によって実行することができる。
【０２３４】
方法１８００の段階１８１０は、患者の身体と携帯測定システムの少なくとも一部とを示す少なくとも１つの可視光画像をこれらの画像内の携帯測定システムの場所を決定するように処理する段階を含む。以前の図面に関して示した例を参照すると、段階１８１０は、外部カメラ１７２０によって実行することができる。
【０２３５】
少なくとも１つの可視光画像は、例えば、上記で様々な方法及びシステムに関して議論したように携帯測定システムに対して外部であるカメラが取得することができる。
【０２３６】
方法１８００の段階１８２０は、携帯測定システムの場所が予め決められた検査場所に対する近接度判断基準を満たす条件時に携帯測定システムによる患者の生理的測定の新しいフェーズを開始する段階を含む。
【０２３７】
例えば、開始段階は、ａ．生理的測定を始めるアクション、ｂ．生理的測定のデータ収集を開始するアクション、ｃ．携帯測定システムの生理的測定パラメータを変更するアクション、ｄ．携帯測定システムの場所を修正するユーザインタフェース命令のユーザへの提示を開始するアクション、ｅ．別のユーザインタフェース命令のユーザへの提示を開始するアクションのうちのいずれか１つ又は２以上を実行する段階を含むことができる。
【０２３８】
患者の１又は２以上の生理学的検査が様々な場所で生理的測定値を取得することを必要とする場合に、患者の身体上の様々な場所に対して段階１８１０及び１８２０を順番に繰り返すことができることに注意されたい。
【０２３９】
図１９Ａ及び図１９Ｂは、本発明の開示の主題による患者の生理的パラメータの測定を制御するためのシステム１９００の例を示す機能ブロック図である。システム１９００は、少なくとも通信インタフェース１９８０と、プロセッサ１９５０と、コントローラ１９９０とを含む。
【０２４０】
通信インタフェース１９８０は、患者の身体の少なくとも一部を含む（すなわち、示す）基準画像に対して定められた少なくとも１つの検査場所を受信するように作動可能である。
【０２４１】
任意的に、検査場所は、人が選択する（例えば、人が基準画像上にマーク付けする）ことができる。この選択は、システム１９００のＵＩ上又は遠隔システム上で実行することができる。
【０２４２】
任意的に、検査場所は、基準画像に基づいて自動アルゴリズムを用いて選択することができる。例えば、自動アルゴリズムは、基準画像内で特定の身体部分（例えば、目、指）を識別し、識別した身体部分に基づいて少なくとも１つの検査場所を決定することができる。別の例では、自動アルゴリズムは、少なくとも１つの検査場所を決定するために、基準画像を患者の別の画像（例えば、患者の過去の病態を経過観察するための）及び／又は別の画像（例えば、病態を例証するための）に対して比較することができる。別の例では、自動アルゴリズムは、特定の生理学的状態（例えば、皮膚の変色、瘢痕組織、ほくろなど）を識別し、この識別に基づいて少なくとも１つの検査場所を決定するように基準画像を処理することができる。自動アルゴリズムは、プロセッサ１９５０によって実行することができるが、遠隔システム上で実行することもできる。
【０２４３】
任意的に、通信インタフェースは、ＵＩへの（例えば、タッチ画面、コンピュータマウス等への）インタフェースとすることができる。任意的に、通信インタフェースは、遠隔システムへのインタフェース（例えば、ＵＳＢ接続、無線接続）とすることができる。
【０２４４】
プロセッサ１９５０は、少なくとも、ａ．患者の身体の少なくとも一部を含み（すなわち、示し）、外部カメラ（コントローラ１９９０によって制御される携帯測定システムに対して外部である）によって取得された可視光画像である基準画像上で人によってマーク付けされた少なくとも１つの検査場所を処理し、ｂ．処理の結果に基づいて携帯測定システムのための位置決めパラメータを決定するように作動可能である。
【０２４５】
位置決めパラメータは、基準画像に関して（例えば、ピクセル数で定められ、例えば、携帯測定システムは、生理的測定に向けてコーナピクセル（９４０，５００）と（９６０，５２０）によって定められた部位に位置決めされることになる）、患者の身体に関して（例えば、携帯測定システムは、生理的測定に向けて目のような識別可能な身体場所に対して定められた場所に位置決めされることになる）、別の識別可能物体に関して（例えば、２つの電極が、７ｃｍよりも大きくない相互間距離に位置決めされることになる）、更に他のものに関して決定することができる。
【０２４６】
位置決めパラメータは、検査場所で実行される生理的測定のタイプに依存して変化する場合がある。段階８６０の生理的測定値の収集をトリガする前に、他の基準（例えば、センサの向き、バッテリレベル、信号レベル）を必要とする可能性もある。
【０２４７】
システム１９１０は、個人に対して基準画像を表示し、少なくとも１つの検査場所の個人によるマーク付けを受信するためのユーザインタフェース（例えば、タッチ画面１９６０）を含むことができることに注意されたい。しかし、必ずしもそうとは限らず、ユーザインタフェースは、別のシステム（例えば、システム４００又は例えば遠隔場所で医療専門家によって運用される別のシステム）上に実施することができる。
【０２４８】
コントローラ１９９０は、携帯測定センサによる患者の生理的測定の実行を位置決めパラメータに基づいて制御するように作動可能である。コントローラは、プロセッサ１９５０（図１９Ａに明らかにしているように）に接続することができるが、他の場所に位置付けることもできる（例えば、携帯測定システムの一部として）。
【０２４９】
必ずしもそうとは限らないが、システム１９００は、携帯測定システム及び／又は外部カメラを含むことができる。任意的に、システム１９００はスマート電話又はタブレットコンピュータ上に実施することができ、この場合に、スマート電話又はタブレットのカメラは、外部カメラとして機能することができる。任意的に、システム１９００は、外部カメラも含むコンピュータ内に組み込むことができる。
【０２５０】
システム１９００は、複数回の使用に向けて位置決めパラメータを格納するためのメモリを含むことができる。例えば、医療専門家（又は別のユーザ）は、１つの案件において基準画像上で１又は２以上の検査場所をマーク付けすることができ、コントローラ１９９０は、様々な時点での（例えば、様々な期日での）携帯測定システムによる患者の生理的パラメータの様々な測定を同じ位置決めパラメータを用いて制御することができる。
【０２５１】
任意的に、コントローラ１９９０は、位置決めパラメータと基準画像とに基づいて生理的測定の実行を制御するように作動可能とすることができる。この制御は、例えば、システム１７００に関して議論した制御のうちのいずれか１つと同様に行うことができる。
【０２５２】
任意的に、プロセッサ１９５０は、基準画像上で少なくとも１人の個人によってマーク付けされた複数の検査場所に基づいて異なる位置決めパラメータを決定するように作動可能とすることができ、コントローラ１９９０は、携帯測定システムによる患者の複数の生理的測定の実行をこれらの異なる位置決めパラメータに基づいて制御するように作動可能とすることができる。そのような場合に、任意的に、コントローラ１９９０は、これらの異なる位置決めパラメータに基づいて複数の生理的測定の間の休止を制御するように更と作動可能とすることができる（例えば、携帯測定システムが定められた着目位置にある時にのみ体温のような生理的測定値を測定するか又は音を集音するが、患者が携帯測定システムを場所の間で移動する時にはこれらを行わないように）。
【０２５３】
上記で他のシステムに関して議論したように、患者は、システム１９００のＵＩ（例えば、ディスプレイ１９６０）上又は別のシステムのＵＩ上で位置決めパラメータに基づいて携帯測定システムを何処に位置決めするかに関する命令を受信することができる。
【０２５４】
任意的に、コントローラ１９９０は、位置決めパラメータに基づいて生理的測定の開始を制御するように作動可能とすることができる（例えば、システム１７００及び近接度判断基準に関して議論したものに必要な変更を加えた上で）。
【０２５５】
任意的に、コントローラ１９９０は、位置決めパラメータに基づいて生理的測定のデータ収集の開始を制御するように作動可能とすることができる（例えば、システム１７００及び近接度判断基準に関して議論したものに必要な変更を加えた上で）。
【０２５６】
任意的に、コントローラ１９９０は、携帯測定システムの生理的測定パラメータの変更を制御するように作動可能とすることができる（例えば、システム１７００及び近接度判断基準に関して議論したものに必要な変更を加えた上で）。
【０２５７】
任意的に、コントローラ１９９０は、携帯測定システムの場所を修正するためのユーザインタフェース命令のユーザへの提示を制御するように作動可能とすることができる（例えば、システム１７００に関して議論したものに必要な変更を加えた上で）。
【０２５８】
任意的に、プロセッサ１９５０は、位置決めパラメータの決定の後に外部カメラによって取得された患者の身体と携帯測定システムとを示す少なくとも１つの可視光画像をこれらの画像内の携帯測定システムの場所を決定するように処理するように更と作動可能とすることができる。そのような場合のコントローラ１９９０は、この場所が予め決められた検査場所に対する近接度判断基準を満たす条件時に携帯測定システムによる患者の生理的測定の新しいフェーズの開始を制御するように作動可能とすることができる。
【０２５９】
新しいフェーズの開始は、例えば、ａ．生理的測定のデータ収集を開始する段階、ｂ．携帯測定システムの生理的測定パラメータを変更する段階、ｃ．携帯測定システムの場所を修正するためにユーザへのユーザインタフェース命令の提示を開始する段階のうちのいずれか１つを含むことができる。
【０２６０】
図７に戻ると、システム２００が示された患者場所１００でシステム１９００を使用することができることに注意されたい。同様に、熟練患者場所１２０は、必ずしもシステム４００の全ての機能を有するとは限らない別のシステムとすることができる（例えば、このシステムは、システム４００に関して議論したような同期データを使用するように作動可能である必要が必ずしもない場合がある）。図７のシステムの使用とシステム１９００の使用との間で他の変更及び調節を行うことができる。
【０２６１】
図２０は、本発明の開示の主題による生理学的モニタのためのコンピュータ実装方法２０００の例を示す流れ図である。以前の図面に関して示した例を参照すると、方法２０００は、システム１９００によって実行することができる。
【０２６２】
方法２０００は、患者の身体の少なくとも一部を含む基準画像を取得する段階を含む任意的な段階２０１０で始めることができる。基準画像は、段階２０４０（下記で議論する）の携帯測定システムに対して外部である外部カメラによって取得される可視光画像である。以前の図面に関して示した例を参照すると、段階２０１０は、プロセッサ１９５０によって実行することができる。
【０２６３】
方法２０００の段階２０２０は、患者の身体の少なくとも一部を含む基準画像に対して定められた少なくとも１つの検査場所を取得する段階を含む。任意的に、少なくとも１つの検査場所は、基準画像上で個人によってマーク付けされる。任意的に、少なくとも１つの検査場所は、自動アルゴリズムによって決定される。任意的に、少なくとも１つの検査場所は、個人（例えば、医療専門家）の入力との組合せで自動アルゴリズムによって決定される。少なくとも１つの検査場所の特定段階に対するいくつかの例を上記でシステム１９００に関して提供した。
【０２６４】
以前の図面に関して示した例を参照すると、段階２０２０は、通信インタフェース１９８０、プロセッサ１９５０、及び／又はユーザインタフェース（例えば、１９６０）、又はこれらのあらゆる組合せによって実行することができる。方法２０００は、ユーザインタフェース上で個人に対して基準画像を表示する段階を含むことができるが、マーク付けは別のシステム上で実行することができるので、必ずしもそうとは限らない。
【０２６５】
段階２０３０は、少なくとも１つの検査場所に基づいて携帯測定システムのための位置決めパラメータを決定する段階を含む。以前の図面に関して示した例を参照すると、段階２０３０は、プロセッサ１９５０によって実行することができる。任意的に、段階２０３０は、少なくとも１つの検査場所と基準画像とに基づいて位置決めパラメータを決定する段階を含むことができる。
【０２６６】
段階２０４０は、位置決めパラメータに基づいて携帯測定センサによる患者の生理的測定の実行を制御する段階を含む。以前の図面に関して示した例を参照すると、段階２０４０は、コントローラ１９９０によって実行することができる。任意的に、段階１９９０の制御は、基準画像及び／又は追加パラメータに更に基づく場合がある。
【０２６７】
任意的に、段階２０２０は、少なくとも１人の個人によってマーク付けされた複数の検査場所を取得する段階を含むことができ、段階２０３０は、異なる検査場所に基づいて異なる位置決めパラメータを決定する段階を含むことができ、段階２０４０は、携帯測定システムによる患者の複数の生理的測定の実行を制御する段階を含むことができる。そのような場合に、方法２０００は、これらの異なる位置決めパラメータに基づいて複数の生理的測定の間の休止を制御する段階を更に含むことができる。ａ．段階２０４０の制御は、ｂ．生理的測定の開始を制御する段階、ｃ．生理的測定のデータ収集を開始する段階、ｄ．携帯測定システムの生理的測定パラメータを変更する段階、ｅ．携帯測定システムの場所を修正するためのユーザインタフェース命令のユーザへの提示を制御する段階、ｆ．特定段階の後に外部カメラによって取得された患者の身体と携帯測定システムとを示す少なくとも１つの可視光画像をこれらの画像内の携帯測定システムの場所を決定するように処理し、この場所が予め決められた検査場所に対する近接度判断基準を満たす条件時に携帯測定システムによる患者の生理的測定の新しいフェーズを開始する段階のうちの１又は２以上を含むことができる。
【０２６８】
本発明は、コンピュータシステムのようなプログラマブル装置上で実行される時に本発明による方法の段階を実施するためのコード部分又はプログラマブル装置が本発明によるデバイス又はシステムの機能を実施することを可能にするためのコード部分を少なくとも含むコンピュータシステム上での実行のためのコンピュータプログラムに実施することができる。そのような方法は、上記で議論した方法５００、６００、７００、１８００、及び２００を含む。
【０２６９】
コンピュータプログラムは、特定のアプリケーションプログラム及び／又はオペレーティングシステムのような命令リストである。コンピュータプログラムは、例えば、サブルーチン、関数、手順、方法、実施、実行可能アプリケーション、アプレット、サーブレット、ソースコード、コード、共有ライブラリ／動的ロードライブラリ、及び／又はコンピュータシステム上での実行に向けて設計された他の命令シーケンスのうちの１又は２以上を含むことができる。
【０２７０】
コンピュータプログラムは、非一時的コンピュータ可読媒体上に内部的に格納することができる。コンピュータプログラムの全て又は一部は、情報処理システムに恒久的、取外し可能、又は遠隔的に結合されたコンピュータ可読媒体上に提供することができる。コンピュータ可読媒体は、限定的ではなく例として、ディスク及びテープのストレージ媒体を含む磁気ストレージ媒体、コンパクトディスク媒体（例えば、ＣＤ  ＲＯＭ、ＣＤ  Ｒなど）及びデジタルビデオディスクストレージ媒体のような光ストレージ媒体、ＦＬＡＳＨメモリ、ＥＥＰＲＯＭ、ＥＰＲＯＭ、ＲＯＭのような半導体ベースのメモリユニットを含む不揮発性メモリストレージ媒体、強磁性デジタルメモリ、ＭＲＡＭ、レジスタ、バッファ又はキャッシュ、メインメモリ、ＲＡＭなどを含む揮発性ストレージ媒体をあらゆる個数で含むことができる。
【０２７１】
一般的にコンピュータ処理は、実行（稼働）プログラム又はプログラムの一部分と、現在プログラム値及び状態情報と、処理の実行を管理するためにオペレーティングシステムによって使用されるリソースとを含む。オペレーティングシステム（ＯＳ）は、コンピュータのリソースの共有を管理し、これらのリソースにアクセスするのに使用されるインタフェースをプログラマーに提供するソフトウエアである。オペレーティングシステムは、システムデータ及びユーザ入力を処理し、タスク及び内部システムリソースをシステムのユーザ及びプログラムへのサービスとして割り当てて管理することによって応答する。
【０２７２】
コンピュータシステムは、例えば、少なくとも１つの処理ユニットと、関連のメモリと、いくつかの入力／出力（Ｉ／Ｏ）デバイスとを含むことができる。コンピュータプログラムを実行する時に、コンピュータシステムは、コンピュータプログラムに従って情報を処理し、取得される出力情報をＩ／Ｏデバイスを通して生成する。
【０２７３】
上述の明細書では、本発明をその実施形態の特定の例を参照して説明した。しかし、添付の特許請求の範囲に示す本発明の広義の精神及び範囲から逸脱することなくそこに様々な修正及び変更を加えることができることが明らかであろう。
【０２７４】
更に、本明細書及び特許請求の範囲での「前面」、「背面」、「上部」、「底部」、「上」、及び「下」などの用語は、いずれかが存在する場合は説明目的に使用するものであり、必ずしも永久的な相対位置を説明するために使用するものとは限らない。そのように使用するこれらの用語は、適切な関連下では交換可能であり、従って、本明細書に説明する実施形態は、例えば、本明細書で例示するもの又はそうでなければ説明するもの以外の向きで作動させることができることを理解しなければならない。
【０２７５】
本明細書で議論する接続は、それぞれのノード、ユニット、又はデバイスから又はそこへ例えば中間デバイスを通して信号を伝達するのに適するあらゆるタイプの接続とすることができる。従って、別途示唆又は記載しない限り、接続は、例えば、直接接続又は間接接続とすることができる。これらの接続は、単一接続、複数接続、一方向接続、又は双方向接続であるものに関して例示又は説明することができる。しかし、様々な実施形態は、これらの接続の実施を変更することができる。例えば、双方向接続ではなく別個の一方向接続を使用することができ、その逆も同様である。同様に、複数の接続は、複数の信号を直列又は時間多重方式で伝達する単一接続と置換することができる。同様に、複数の信号を伝達する単一接続は、これらの信号の部分集合を伝達する様々な異なる接続に分離することができる。従って、信号を伝達することに関して多くのオプションが存在する。
【０２７６】
同じ機能をもたらす構成要素のあらゆる配置は、望ましい機能が提供されるように実質的に「関連付けられる」。従って、特定の機能をもたらすために組み合わされる本明細書でのあらゆる２つの構成要素は、アーキテクチャ又は中間構成要素とは無関係に望ましい機能が提供されるように互いに「関連付けられた」ものと見なすことができる。同様に、そのように関連付けられたあらゆる２つの構成要素は、望ましい機能が提供されるように互いに「作動可能に接続」又は「作動可能に結合」されたものと見なすことができる。
【０２７７】
同じく例えば一実施形態では、図示の例は、単一集積回路上又は同じデバイス内に位置付けられた回路として実施することができる。これに代えて、これらの例は、あらゆる個数の別個の集積回路又は適切な方式で互いに相互接続した別個のデバイスとして実施することができる。
【０２７８】
同じく例えば、これらの例又はその一部分は、物理的回路又は物理的回路に変換可能な論理表現、例えば、あらゆる適切なタイプのハードウエア記述言語のソフト表現又はコード表現として実施することができる。
【０２７９】
同じく、本発明は、非プログラマブルハードウエアに実施された物理的なデバイス又はユニットに限定されず、適切なプログラムコードに従って作動することによって望ましいデバイス機能を行うことができるプログラマブルなデバイス又はユニット、例えば、メインフレーム、ミニコンピュータ、サーバ、ワークステーション、パーソナルコンピュータ、ノートパッド、携帯情報端末、電子ゲーム、自動車及び他の埋め込みシステム、セル電話、並びにこの出願で「コンピュータシステム」として一般的に表示する様々な他の無線デバイス内に適用することができる。
【０２８０】
しかし、他の修正、変形、及び代替物も可能である。従って、本明細書及び図面を限定的な意味ではなく例示的意味で捉えられたい。
【０２８１】
特許請求の範囲では、括弧の間に置かれたいかなる参照記号も、特許請求を限定するものと解釈すべきではない。「ｃｏｍｐｒｉｓｉｎｇ」という言葉は、特許請求の範囲内に列記するもの以外の要素又は段階の存在を除外しない。更に、本明細書に使用する用語「ａ」又は「ａｎ」は、１又は１よりも多いとして定められる。同様に、特許請求の範囲内の「少なくとも１つ」及び「１又は２以上」のような導入句の使用は、不定冠詞「ａ」又は「ａｎ」による別の請求要素の導入が、そのような導入請求要素を含むいずれかを特定の請求項が導入句「少なくとも１つ」又は「１又は２以上」を有する要素と「ａ」又は「ａｎ」のような不定冠詞とを含む場合であっても、この請求項を１つだけのそのような要素を含む発明に限定することを意味すると解釈すべきではない。同じことが命令形容詞の使用に対しても成り立つ。別途記載しない限り、「第１」及び「第２」のような用語は、そのような用語が説明する要素間を任意に区別するために使用する。従って、これらの用語は、必ずしもそのような要素の一時的又は他の優先順位付けを意図したものではない。ある一定の手段を互いに異なる請求項内に列挙していることだけでこれらの手段の組合せを有利に使用することができないことを示すことにはならない。
【０２８２】
本明細書では本発明のある一定の特徴を図示して説明したが、ここで当業者は多くの修正、代替、変形、及び均等物を想起されるであろう。従って、添付の特許請求の範囲は、本発明の真の精神の範囲に収まる全てのそのような修正及び変形を網羅するように意図したものであることは理解されるものとする。
【０２８３】
上述した実施形態は、一例として挙げたものであり、その様々な特徴及びこれらの特徴の組合せを変形及び修正することができることは認められるであろう。
【０２８４】
様々な実施形態を図示して説明したが、そのような開示内容によって本発明を限定する意図はなく、むしろ添付の特許請求の範囲に定める本発明の範囲に収まる全ての修正及び代替構成を網羅するように意図していることは認められるであろう。
【符号の説明】
【０２８５】
２００  患者の生理的パラメータを測定するためのシステム
２１０  携帯測定システム
２２０  カメラ
２３０  同期モジュール
２４０  通信モジュール
【図１】
2020072958.tif 000003
【図２】
2020072958.tif 000004
【図３】
2020072958.tif 000005
【図４】
2020072958.tif 000006
【図５】
2020072958.tif 000007
【図６】
2020072958.tif 000008
【図７】
2020072958.tif 000009
【図８】
2020072958.tif 000010
【図９】
2020072958.tif 000011
【図１０】
2020072958.tif 000012
【図１１】
2020072958.tif 000013
【図１２】
2020072958.tif 000014
【図１３Ａ】
2020072958.tif 000015
【図１３Ｂ】
2020072958.tif 000016
【図１４Ａ】
2020072958.tif 000017
【図１４Ｂ】
2020072958.tif 000018
【図１５】
2020072958.tif 000019
【図１６】
2020072958.tif 000020
【図１７Ａ】
2020072958.tif 000021
【図１７Ｂ】
2020072958.tif 000022
【図１８】
2020072958.tif 000023
【図１９Ａ】
2020072958.tif 000024
【図１９Ｂ】
2020072958.tif 000025
【図２０】
2020072958.tif 000026
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
患者の生理的パラメータを測定するためのシステムであって、
前記患者の身体上の検査場所から生理的測定値を取得するように作動可能な少なくとも１つのセンサを含む携帯測定システムと、
前記携帯測定システムの外部にあり、前記携帯測定システムとは無関係に移動可能であり、可視光画像を取り込むように作動可能である外部カメラと、
（ａ）前記携帯測定システムの少なくとも一部、及び（ｂ）前記検査場所を含む前記患者の前記身体の少なくとも一部、を少なくとも１つの画像が含む画像シーケンスを取得するように前記外部カメラを作動させ、
前記外部カメラによって取得された前記画像シーケンスを連続的に処理して前記検査場所に対する前記携帯測定システムの場所を決定し、かつ
前記センサが前記検査場所に対する近接度判断基準を満たさない時に、前記携帯測定システムの前記場所を修正する命令をユーザに対して提供する、
ように作動可能なプロセッサと、
を含むことを特徴とするシステム。
【請求項２】
前記プロセッサは、前記センサが前記検査場所に対する前記近接度判断基準を満たす時に前記携帯測定システムに前記生理的測定を開始させるように作動可能であることを特徴とする請求項１に記載のシステム。
【請求項３】
前記プロセッサは、前記センサが前記検査場所に対する前記近接度判断基準を満たす時に前記携帯測定システムに生理的測定パラメータを変更させるように作動可能であることを特徴とする請求項１に記載のシステム。
【請求項４】
前記プロセッサは、前記センサが前記検査場所に対する前記近接度判断基準を満たさない時にユーザインタフェースに前記ユーザに対して前記命令を提示させるように作動可能であることを特徴とする請求項１に記載のシステム。
【請求項５】
前記検査場所は、前記患者の前記身体の前記少なくとも一部を含む予め取得された基準画像上に個人によってマーク付けされ、前記予め取得された基準画像は、前記外部カメラによって予め取得された可視光画像であることを特徴とする請求項１に記載のシステム。
【請求項６】
前記シーケンスの前記画像のうちの少なくとも１つは、前記携帯測定システムの一部を含んでおらず、前記プロセッサは、
前記携帯測定システムによって収集されて経時的な該携帯測定システムの移動を示すナビゲーションデータを取得し、かつ
前記ナビゲーションデータと、（ａ）前記携帯測定システムの前記少なくとも一部、及び（ｂ）前記検査場所を含む前記患者の前記身体の前記少なくとも一部、を含む前記少なくとも１つの画像とを利用して、前記シーケンスの前記画像のうちの前記少なくとも１つが前記携帯測定システムの一部を含んでいなかった時点での前記携帯測定システムの査定場所を決定する、
ように更に構成されることを特徴とする請求項１に記載のシステム。
【請求項７】
前記プロセッサは、前記外部カメラによって取り込まれてその上に前記査定場所が示された画像を遠隔システムに送信するように更に構成されることを特徴とする請求項６に記載のシステム。
【請求項８】
患者の身体上の検査場所から生理的測定値を取得するように作動可能な少なくとも１つのセンサを含む携帯測定システムを用いて前記患者の生理的パラメータを測定する方法であって、
前記携帯測定システムの外部にあり、前記携帯測定システムとは無関係に移動可能であり、可視光画像を取り込んで（ａ）前記携帯測定システムの少なくとも一部、及び（ｂ）前記検査場所を含む前記患者の前記身体の少なくとも一部、を少なくとも１つの画像が含む画像シーケンスを取得するように作動可能である外部カメラを作動させる段階と、
前記外部カメラによって取得された前記画像シーケンスを連続的に処理して前記検査場所に対する前記携帯測定システムの場所を決定する段階と、
前記センサが前記検査場所に対する近接度判断基準を満たさない時に、前記携帯測定システムの前記場所を修正する命令をユーザに対して提供する段階と、
を含むことを特徴とする方法。
【請求項９】
前記センサが前記検査場所に対する前記近接度判断基準を満たす時に前記生理的測定を開始する段階を更に含むことを特徴とする請求項８に記載の方法。
【請求項１０】
前記センサが前記検査場所に対する前記近接度判断基準を満たす時に前記携帯測定システムに生理的測定パラメータを変更させる段階を更に含むことを特徴とする請求項８に記載の方法。
【請求項１１】
前記センサが前記検査場所に対する前記近接度判断基準を満たさない時にユーザインタフェースに前記ユーザに対して前記命令を提示させる段階を更に含むことを特徴とする請求項８に記載の方法。
【請求項１２】
前記検査場所は、前記患者の前記身体の前記少なくとも一部を含む予め取得された基準画像上に個人によってマーク付けされ、前記予め取得された基準画像は、前記外部カメラによって予め取得された可視光画像であることを特徴とする請求項８に記載の方法。
【請求項１３】
前記シーケンスの前記画像のうちの少なくとも１つは、前記携帯測定システムの一部を含んでおらず、前記方法は、
前記携帯測定システムによって収集されて経時的な該携帯測定システムの移動を示すナビゲーションデータを取得する段階と、
前記ナビゲーションデータと、（ａ）前記携帯測定システムの前記少なくとも一部、及び（ｂ）前記検査場所を含む前記患者の前記身体の前記少なくとも一部、を含む前記少なくとも１つの画像とを利用して、前記シーケンスの前記画像のうちの前記少なくとも１つが前記携帯測定システムの一部を含んでいなかった時点での前記携帯測定システムの査定場所を決定する段階と、
を更に含むことを特徴とする請求項８に記載の方法。
【請求項１４】
前記外部カメラによって取り込まれてその上に前記査定場所が示された画像を遠隔システムに送信する段階を更に含むことを特徴とする請求項１３に記載の方法。
【請求項１５】
患者の身体上の検査場所から生理的測定値を取得するように作動可能な少なくとも１つのセンサを含む携帯測定システムを用いて前記患者の生理的パラメータを測定するための非一時的コンピュータ可読媒体であって、前記方法は、
前記携帯測定システムの外部にあり、前記携帯測定システムとは無関係に移動可能であり、可視光画像を取り込んで（ａ）前記携帯測定システムの少なくとも一部、及び（ｂ）前記検査場所を含む前記患者の前記身体の少なくとも一部、を少なくとも１つの画像が含む画像シーケンスを取得するように作動可能である外部カメラを作動させる段階と、
前記外部カメラによって取得された前記画像シーケンスを連続的に処理して前記検査場所に対する前記携帯測定システムの場所を決定する段階と、
前記携帯測定システム内に含まれて前記検査場所から前記生理的測定値を取得するように作動可能なセンサが前記検査場所に対する近接度判断基準を満たさない時に、前記携帯測定システムの前記場所を修正する命令をユーザに対して提供する段階と、
を含む、ことを特徴とする媒体。
【外国語明細書】
2020072958000001.pdf